(57)【要約】本発明は、材料の変換の分野に関し、プラズマを生成するための装置と、前記装置を使用して材料をイオン化する方法と、本発明の方法の使用法と、前記装置を使用する生成プロセスとに関する。前記装置は、共振室１と、音響装置７を備えた音響室５と、外部空気の再循環を同時に生成しながら、共振室１から来る処理された材料を受けるためのソリトン室８とを備える。前記ソリトン室８は、前記ソリトン室８の出口に隣接した脈動吸引部材１０で、イオン化材料を生成する空間１１を画定する。
2004509312.tif 000002
【特許請求の範囲】
【請求項１】
１つの物質または複数の物質Ｍの混合物の燃焼を含む反応によってプラズマを生成するための装置であって、
前記物質（Ｍ）の流れの定常循環を作るための「ファブリ−ペロー」空洞タイプの共振室（１）を備え、該物質（Ｍ）は、少なくとも１つの供給手段（２）を通って前記共振室（１）を貫通し、かつ調整された形態で、すなわちコヒーレントな半凝縮された定常振動状態で、細長いパイプ（４）の形態である少なくとも１つの出口（３）を通って共振室（１）から出て、装置はさらに、
オリフィス（６）を介して前記共振室（１）と連絡し、かつ変調可能な高調波を生成するための音響装置（７）を装備した音響室（５）と、
前記１つまたは複数の細長いパイプ（４）を通って前記共振室（１）に向かう外部空気の再循環を生成するのと同時に、共振室（１）の１つまたは複数の細長いパイプ（４）を通って出る調整された物質を受けるための容積が調節可能なソリトン室（８）とを備え、該ソリトン室（８）が、少なくとも１つの調節可能な流量空気入口（９）を装備し、かつソリトン室（８）の出口に隣接する脈動吸引部材（１０）でイオン化物質を生成するための空間（１１）を画定することを特徴とする装置。
【請求項２】
ソリトン室（８）の空間（１１）の調整された物質（Ｍ）のための少なくとも１つの点火補助装置（１２）をも備えることを特徴とする、請求項１に記載の装置。
【請求項３】
共振室（１）に物質（Ｍ）を供給するための手段（２）が、前記共振室（１）に作成された少なくとも１つの供給開口（１３）からなることを特徴とする、請求項１または２に記載の装置。
【請求項４】
１つまたは複数の供給開口（１３）の上に、上方閉鎖ドア（１５）と下方閉鎖ドア（１６）および／または下方格子（１７）を装備することが可能である少なくとも１つのホッパ（１４）が取り付けられることを特徴とする、請求項３に記載の装置。
【請求項５】
１つまたは複数のホッパ（１４）が、１つの供給開口（１３）から他の供給開口（１３）へ、共振室（１）の供給開口（１３）より上で変位することが可能であることを特徴とする、請求項４に記載の装置。
【請求項６】
少なくとも１つの装置（１８）が、前記共振室（１）内に導入された固体物質（Ｍ）を攪拌するために提供されることを特徴とする、請求項１から５のいずれか一項に記載の装置。
【請求項７】
供給手段（２）が、物質（Ｍ）のための１つまたは複数のインジェクタおよび／またはネブライザ（１９、２０）からなり、該物質（Ｍ）は、インジェクタおよび／またはネブライザ（１９、２０）に適切な状態を獲得するために、可能であれば事前に処理することができることを特徴とする、請求項１または２に記載の装置。
【請求項８】
１つまたは複数のホッパ（１４）またはインジェクタおよび／またはネブライザ（１９、２０）が、共振室（１）に供給する物質（Ｍ）を加熱するための手段（２２）を備えることを特徴とする、請求項４、５、または７のいずれか一項に記載の装置。
【請求項９】
共振室（１）および／または音響室（５）および／またはソリトン室（８）および／または細長いパイプ（４）が、オーバーフローレート、残留物、および／または生成された燃焼凝縮物のための１つまたは複数の収集手段（２４）および／または放出手段（２５、２５’）をも備え、前記収集手段（２４）および／または放出手段（２５、２５’）が、ベント（２３）と、熱保護手段および／または冷却手段および／または閉込め手段とを備えることが可能であることを特徴とする、請求項１から８のいずれか一項に記載の装置。
【請求項１０】
収集手段（２４）が、音響室（５）のオリフィス（６）の下および周囲に配置されることを特徴とする、請求項９に記載の装置。
【請求項１１】
音響室（５）のサイズおよび形状が、前記オリフィス（６）と前記音響装置（７）との距離に応じ、該距離自体が、前記共振室（１）の１つまたは複数の出口（３）と前記音響装置（７）との距離で調節されることを特徴とする、請求項１から１０のいずれか一項に記載の装置。
【請求項１２】
前記オリフィス（６）と前記音響装置（７）との距離が、前記共振室（１）の１つまたは複数の出口（３）と前記音響装置（７）との距離の完全な約数であることを特徴とする、請求項１１に記載の装置。
【請求項１３】
オリフィス（６）、音響装置（７）、および共振室（１）の出口（３）が、一直線に合わせされることを特徴とする、請求項１１または１２に記載の装置。
【請求項１４】
音響装置（７）が、音響マフまたは音響リードであることを特徴とする、請求項１から１３のいずれか一項に記載の装置。
【請求項１５】
１つまたは複数の細長いパイプ（４）が、たとえば、入れ子式部分の形態で作成されることによって、調節可能な長さを有することを特徴とする、請求項１から１４のいずれか一項に記載の装置。
【請求項１６】
１つまたは複数の細長いパイプ（４）の断面が、共振室（１）の断面より小さく、かつ、脈動吸引部材（１０）に接続されたソリトン室（８）の第１開口（８’）の断面より大きく、第１開口（８’）の断面を有する傾向がある物質（Ｍ）の流れが、少なくとも１つの空気入口（９）を通ってソリトン室（８）内に導入され、かつ共振室（１）の方向に前記１つまたは複数の細長いパイプ（４）に発生する空気からなる反射波を、１つまたは複数の細長いパイプ（４）内に導入するために少なくとも１つの環状空間を出ることを特徴とする、請求項１から１５のいずれか一項に記載の装置。
【請求項１７】
１つまたは複数の細長いパイプ（４）の断面より小さい断面を有する少なくとも１つの再循環ガイド（２６）が、たとえば、共振室（１）内に開いている細長いスリーブの形態で、前記１つまたは複数の細長いパイプ（４）の内側に少なくとも部分的に提供されることを特徴とする、請求項１６に記載の装置。
【請求項１８】
共振室（１）において循環する波の基本周波数で反響し、かつ１つまたは複数の細長いパイプ（４）の出口から共振室（１）に向けられた反射波が、うなりを促進するように入射波と共通モードを生成するように、１つまたは複数の細長いパイプ（４）の固有周波数が選択されることを特徴とする、請求項１から１７のいずれか一項に記載の装置。
【請求項１９】
ソリトン室（８）が、脈動吸引部材（１０）に接続するための第１開口（８’）と、共振室（１）の１つまたは複数の細長いパイプ（４）にはめ込まれた第２開口（８”）とを備える円筒または準円筒の形状（２７）を有し、したがって、前記第２開口（８”）と前記１つまたは複数の細長いパイプ（４）との間の残りの空間が、前記ソリトン室（８）のための少なくとも１つの空気入口（９）を形成することを特徴とする、請求項１から１８のいずれか一項に記載の装置。
【請求項２０】
ソリトン室（８）が、一方では、脈動吸引部材（１０）に接続するための拡大側の第１開口（８’）と、他方では、共振室（１）の１つまたは複数の細長いパイプ（４）にはめ込まれたいくらか湾曲した開口（８”）とを備える、ほぼフレア付きベル（２８）の形状を有し、したがって、前記第２開口（８”）と前記１つまたは複数の細長いパイプ（４）との間の残りの空間が、前記ソリトン室（８）のための少なくとも１つの空気入口（９）を形成することを特徴とする、請求項１から１８のいずれか一項に記載の装置。
【請求項２１】
ソリトン室（８）の第２開口（８”）が、１つまたは複数の細長いパイプ（４）の断面より大きな断面と、１つまたは複数の細長いパイプ（４）の長さの半分に等しい長さとを有するスリーブ（２９）によって、１つまたは複数の細長いパイプ（４）を有する側で延長され、前記スリーブ（２９）が、前記１つまたは複数の細長いパイプ（４）の自由終端部に固定して配置され、前記スリーブ（２９）と前記１つまたは複数の細長いパイプ（４）との間の自由空間が、前記ソリトン室（８）のための少なくとも１つの空気入口（９）を形成することを特徴とする、請求項２０に記載の装置。
【請求項２２】
ソリトン室（８）の第２開口（８”）が、１つまたは複数の細長いパイプ（４）の断面より大きな断面と、１つまたは複数の細長いパイプ（４）の長さの半分に等しい長さとを有するスリーブ（２９）によって、１つまたは複数の細長いパイプ（４）を有する側で延長され、前記スリーブ（２９）が、前記１つまたは複数の細長いパイプ（４）の自由終端部に可動式に配置され、前記スリーブ（２９）と前記１つまたは複数の細長いパイプ（４）との間の自由空間が、前記ソリトン室（８）のための少なくとも１つの空気入口（９）を形成し、ソリトン室（８）のいくらか湾曲した第２開口（８”）が、前記スリーブ（２９）で摩擦してスライディングすることを特徴とする、請求項２０に記載の装置。
【請求項２３】
ソリトン室（８）が、共振室（１）に対して可動であることを特徴とする、請求項１から２２のいずれか一項に記載の装置。
【請求項２４】
脈動吸引部材（１０）が、ソリトン室（８）に対して可動であり、前記ソリトン室（８）と前記脈動吸引部材（１０）との間の空間が、可変ポート流量加速装置（３０）の一部を形成することを特徴とする、請求項２３に記載の装置。
【請求項２５】
流量加速装置（３０）を通過する流れの環状加速度を生成する配向された接線方向の回転円形吸引運動を形成するための手段を備えることを特徴とする、請求項２４に記載の装置。
【請求項２６】
共振室（１）、ソリトン室（８）、および／または脈動吸引部材（１０）が、少なくとも１つのレール（３２）に沿って移動する１つまたは複数のキャリッジ（３１）の上に取り付けられることを特徴とする、請求項２１から２５のいずれか一項に記載の装置。
【請求項２７】
共振室（１）の１つまたは複数の細長いパイプ（４）が、外部周辺上に、共振室（１）の方向に増大する外表面を有する要素（３３）を有し、したがって、第２開口（８”）またはスリーブ（２９）が、前記要素（３３）に接近するとき、前記第２開口（８”）の壁、または前記スリーブ（２９）による延長部の壁と、前記要素（３３）の外表面との間の空間が減少し、それにより、空気入口（９）に入る空気流量の調節を可能にすることを特徴とする、請求項２１から２６のいずれか一項に記載の装置。
【請求項２８】
要素（３３）の外表面が、いくらか湾曲した第２開口（８”）の形状またはスリーブ（２９）の形状と一致する形状を有することを特徴とする、請求項２７に記載の装置。
【請求項２９】
要素（３３）が、たとえば、らせんねじの回りのスライディングまたは回転によって、１つまたは複数の細長いパイプ（４）の上に可動式に取り付けられることを特徴とする、請求項２７または２８に記載の装置。
【請求項３０】
１つまたは複数の細長いパイプ（４）の上で、任意にスリーブ（２９）によって延長された第２開口（８”）の入れ子の深さが、物質（Ｍ）のイオン化反応を抑制するために、ソリトン室（８）、スリーブ（２９）、および／または要素（３３）の変位を介して調節可能であり、前記入れ子の深さの変化により、前記空気流が、共振室（１）から抽出された物質（Ｍ）の流れと反対の位相にあるように、空気入口（９）を介して入る空気の位相状態を適合することが可能になることを特徴とする、請求項１９から２９のいずれか一項に記載の装置。
【請求項３１】
ソリトン室（８）の第２開口（８”）を介した空気入口（９）が、装置の節点の１つから始まる少なくとも１つのパイプによって、緊密な方式で供給されることを特徴とする、請求項１９から３０のいずれか一項に記載の装置。
【請求項３２】
脈動吸引部材（１０）が、固定スモークダクト（３４）であることを特徴とする、請求項１から３１のいずれか一項に記載の装置。
【請求項３３】
脈動吸引部材（１０）が、パルスジェット（３６）の１組のデフレクタ（３５）であることを特徴とする、請求項１から３１のいずれか一項に記載の装置。
【請求項３４】
脈動吸引部材（１０）が、ファンタイプ装置またはブローイングタービン（３７）によって作動される可変ポート流量加速装置（３０）であることを特徴とする、請求項１から３１のいずれか一項に記載の装置。
【請求項３５】
脈動吸引部材（１０）が、ガスタービン（３８）であり、該ガスタービンの第１ブレード（３９）が、ソリトン室（８）の第１開口（８’）に取り付けられ、脈動吸引を生成することを特徴とする、請求項１から３１のいずれか一項に記載の装置。
【請求項３６】
脈動吸引部材（１０）が、ラムジェットであることを特徴とする、請求項１から３１のいずれか一項に記載の装置。
【請求項３７】
脈動吸引部材（１０）が、内燃機関（４１、４２）であることを特徴とする、請求項１から３１のいずれか一項に記載の装置。
【請求項３８】
空間（１１）において調整された物質（Ｍ）のための点火補助装置（１２）が、内燃機関（４１、４２）の点火補助装置であることを特徴とする、請求項３７と組み合わせた請求項２から３１のいずれか一項に記載の装置。
【請求項３９】
共振室（１）のための供給手段（２）が、前記共振室（１）の出口の反対側に、細長いパイプ（４）の縦軸の上に配置されることを特徴とする、請求項１から３８のいずれか一項に記載の装置。
【請求項４０】
請求項１から３９のいずれか一項に記載の装置を使用する物質のイオン化または変換のためのプロセスであって、
脈動吸引部材（１０）と、可能であれば点火補助装置（１２）とを始動することと、
イオン化または変換される物質（Ｍ）を共振室（１）に導入することと、
必要であれば、以前に導入された物質（Ｍ）の従来の予備燃焼を開始することと、
音響装置（７）と脈動吸引部材（１０）を使用して、コヒーレントな半凝縮された定常振動状態に、物質（Ｍ）を調整することと、
共振室（１）において数回往復した後、物質（Ｍ）の放出流の波が、１つまたは複数の細長いパイプ（４）で発生する気流からなる反射波の形態で、入射波の反射を生成し、共振室（１）の負の圧力を補償し、鏡面間の反射を維持する出口において、１つまたは複数の細長いパイプ（４）を通して、調整された物質（Ｍ）を吸引することと、
１つまたは複数の細長いパイプ（４）の周囲に配置された空気入口（９）を通して、１つまたは複数の細長いパイプ（４）から出る調整された物質（Ｍ）に、外部空気を追加することと、
任意の点火補助装置（１２）を使用して、調整された物質（Ｍ）をイオン化することとである段階を備えることを特徴とするプロセス。
【請求項４１】
物質（Ｍ）のイオン化反応レートを、共振室（１）における前記物質（Ｍ）の調整レートに適合させるために、以下のパラメータ、すなわち、音響装置（７）の開放、脈動吸引部材（１０）のパワー、空気入口（９）を通って入る空気の流量、１つまたは複数の細長いパイプ（４）の節平面あるいは装置の他の節平面に対する空気入口（９）の位置、共振室（１）の１つまたは複数の出口（３）から第２開口（８”）を分離する距離、１つまたは複数の細長いパイプ（４）の長さの調節、の１つまたは複数を調節することによって、調整された物質（Ｍ）をイオン化させる状態の後、反応を最適化する段階をも備えることを特徴とする、請求項４０に記載のプロセス。
【請求項４２】
大気の濃度に少なくとも等しい流出物のフローにおけるＯ２の濃度と、ゼロまたは実質的にゼロであるＳＯ２、ＣｘＨｙ、および／またはＮＯｘの濃度とが獲得されるまで、物質（Ｍ）のイオン化反応を最適化するために、以下のパラメータ、すなわち、脈動吸引部材（１０）のパワー、１つまたは複数の細長いパイプ（４）の節平面あるいは装置の他の節平面に対する空気入口（９）の位置、空気入口（９）を通って入る空気の流量、共振室（１）の１つまたは複数の出口（３）から第１開口（８’）を分離する距離、１つまたは複数のパイプ（４）の長さの調節、音響装置（７）の調節、の１つまたは複数の調節を決定するために、請求項１から３７のいずれか一項による装置によって除去された空気のＳＯ２、ＣｘＨｙ、ＮＯｘ、またはＯ２の濃度が測定されることを特徴とする、請求項４１に記載のプロセス。
【請求項４３】
点火補助装置（１２）が、物質（Ｍ）のイオン化反応が自律的に続行するとき、消火されることを特徴とする、請求項４０から４２のいずれか一項に記載のプロセス。
【請求項４４】
解離した調整された物質（Ｍ）によって放出されたエネルギーが、凝集物収集手段（２４）において作られる物質のイオン化の前に、凝縮による１つまたは複数の新規な物質の形態で、イオン化の前に貯蔵されることを特徴とする、請求項４０から４３のいずれか一項に記載のプロセス。
【請求項４５】
熱エネルギーを生成するための請求項４０から４３のいずれか一項に記載のプロセスの適用。
【請求項４６】
化学エネルギーを生成するための請求項４０から４３のいずれか一項に記載のプロセスの適用。
【請求項４７】
機械エネルギーを生成するための請求項４０から４３のいずれか一項に記載のプロセスの適用。
【請求項４８】
新規な物質を生成するための請求項４０から４４のいずれか一項に記載のプロセスの適用。
【請求項４９】
請求項１から３９のいずれか一項に記載の装置を使用する、特に廃棄物のための燃焼炉。
【請求項５０】
請求項２から３０および３７から３９のいずれか一項に記載の装置を使用する、特に車両のための環境を損なわない熱機関。
【請求項５１】
請求項１から３０および３３のいずれか一項に記載の装置を使用するタービン。
【請求項５２】
請求項１から２９および３６のいずれか一項に記載の装置を使用するラムジェット。
【請求項５３】
請求項１から３２のいずれか一項に記載の装置を使用する家庭用炉床およびボイラ。
【発明の詳細な説明】
【０００１】
本発明は、物質の変換の分野に関し、１つの物質または複数の物質Ｍの混合物の燃焼を含む反応によってプラズマを生成するための装置と、この装置を使用して、物質をイオン化または変換するためのプロセスと、本発明によるプロセスの適用と、本発明による装置を使用する実施形態とに関する。
【０００２】
現在、熱じょう乱は、燃焼反応を構築するための唯一の知られているプロセスである。このプロセスには、燃料を酸素担体と十分に混合して、熱力学的応力を使用して混合物を攪拌する、すなわちこの混合物のエントロピーまたは無秩序性を増大して、反応実体が効果的に遭遇する確率を増大させることが含まれる。次いで、固体燃料自体を、酸素搬送空気の乱流にさらす。
【０００３】
脈動燃焼の場（ｆｉｅｌｄ）は、定常流の内部では、進行が異なる傾向がある。しかし、従来の記述に対抗するこの場合は、火炎前面の伝播の波動レートに適合する脈動流の低周波数においてのみ、完全に動作する。これを超えると、エントロピーが生成するより高い周波数による乱流は、熱プロシージャと定常システムとの間のコヒーレンス性を破壊し、収量は、火炎が崩壊する点まで、迅速に降下する。
【０００４】
熱じょう乱による非コヒーレンス性のために、粒子が遭遇する確率は、わずかであり、すべての衝突が有効というわけではない。遭遇の中でも、実際に有効な遭遇は、わずかな範囲の運動を有し、瞬間的にイオン化し、次いで酸化して、関連する化学種を再形成するだけである。このタイプの反応は、未燃残留物と酸素を作り、これらは、地球環境にとってますます有害となってきている。
【０００５】
このような状況下では、燃焼によるエネルギーの発生には、大量の未燃残留物の生成、または有害酸化物の廃棄の選択が含まれる。
【０００６】
燃焼室のうなりによって周波数を低減することになるスモークダクトの脈動の影響を受けた固定装置は、大量の未燃残留物を生成する。したがって、スモークダクトは、３週間使用すると詰まることがよくある。
【０００７】
出力が、燃料のエネルギー能力については低い熱機関のパワー結合は、機械の速度が、火炎前面の伝播を特徴とする反応レートとの相関のある閾値を超えたとき、迅速に低下する。したがって、向上した運動速度を有する燃料を使用する必要があるが、これにより、燃焼温度に比例して、窒素酸化物の生成が増大する。
【０００８】
未燃残留物の生成と酸化物の廃棄とのジレンマを考慮して、一方では火炎を安定させるために、他方では最適の収量を選択するために、この有効範囲は、調節が非常に厳密であるバーナーでは、さらにより小さい。したがって、すべてまったく同じように有害であり、かつ知られている結果を有する、未燃残留物の制限と酸化物生成の制限との間に、均衡が必要である。
【０００９】
問題は、産業用に装備する際に、さらにより複雑になる。実際、特にいくつかのインジェクタを同時に使用するときには、大規模火炎の乱流の発展を制御するのは困難である。大規模火炎のコア（または内部円錐）と周囲との間の非常に大きな温度差は、燃焼の質と熱の周囲の交換とを低減する傾向がある。これらの理由により、産業用の炉では、複数のバーナーが使用される。この場合、容積は、制限ファクタとなる。
【００１０】
本発明で遭遇した問題は、熱力学的条件が、標準状態から逸脱すると、さらにより大きな程度まで、反応媒体の非コヒーレンス性が維持される実際の熱じょう乱プロシージャの結果である。したがって、燃料分子の破壊と、自由粒子としての作用は、完全に不規則になる。火炎前面は、じょう乱反応媒体の唯一のコヒーレンスフリンジである。ブラウン媒体における伝播は、それに先行するコヒーレンス性の組織運動と、それに続く非コヒーレンス性運動とが存在することを想定しており、このどちらも、失われた運動エネルギーを表す乱流を生成する。
【００１１】
性質に応じて、従来の燃料は、反応炉によって発展された脈動現象の周波数に適合する範囲または程度と関連する、この波動のコヒーレンス性空間の平均伝播レートを有する。この調和対応の範囲外では、２つのキャパシティの間に、弱め合う干渉が存在する。したがって、より低い周波数は、未燃残留物と並みの収量とをもたらす。逆に、バーナーにおける流れの圧力が過剰であると、火炎は崩壊して不安定になる。したがって、機関では、システムに関係なく、高速はノッキングをもたらし、物質は局所的に発生する。
【００１２】
問題の中心は、反応物質の固有の振動特性と、反応炉によって無関係に発展された脈動および乱流現象との間のコヒーレンス性マージンの範囲にある。理想的な解決方法は、変換の連続中に、および主に試薬と遭遇した際に、物質の組織的でコヒーレントな振動作用と完全に調和したまたは調波の、コヒーレントで一定に維持されかつうまく制御された脈動特性を有する反応炉を生成することにある。
【００１３】
また定常流では、音響条件が、運動する粒子に対し状態のコヒーレンス性と方向とを課す。したがって、節領域では、物質は不動であるが、「腹」を含んでいる領域では、振幅は最大であり、したがって、周辺のすべての点について同じである。一方、これらのすべての点の振動運動は、同期しており、これらの点の空間は、ほぼ不変に維持される。また、経験から、パイプ内の微視的定常流は、音響圧の微視的条件を伝達することが知られている（すべての管楽器と比較されたい）。
【００１４】
本発明の目的は、すべての自由粒子が、音響学の法則に従うコヒーレント作用をする反応システムを構築するために、音響条件を搬送する定常流の特性を使用するように構成された装置を提供することである。
【００１５】
アインシュタイン、デバイ、ボルン、フォン　カルマン、タラソフなどの物理学者は、物質の特性を研究し、調和的発展（ｈａｒｍｏｎｉｃ　ｅｖｏｌｕｔｉｏｎ）の仮説を提唱した。しかし、これは、重力の状態を特徴付けるブラウン運動の場合には、維持することができない。これが、以下で説明するように、本発明の手段が、物質が解離する瞬間に重力の影響を低減し、それによりそれらの調和的コヒーレント調整が可能になる、ファンデルワールス相互作用の力を発展させることを目的とする理由である。
【００１６】
本発明による装置は、一方では、解離種または半解離種を生成して、凝縮が顕著で、続いて膨張する（ボーズーアインシュタイン凝縮）相を備える巨視的物質のコヒーレントな配向定常場を形成するコヒーレンス性および配向条件と、他方では、熱力学的不均衡の状態を補償する、位相が反対である１つまたは他の場を追加することによって、このようにして調整された場が残留するための条件とを作るという目的を有する。したがって、アセンブリの運動の和は、低減衰による保存の必要な特性を有するソリトン波の形成に寄与する。この調整は、前記定常波が、運動加速度の相対的強化に有益である節平面を有するという点で、注目に値する。この加速度は、種のイオン化をもたらし、種は、コヒーレントな火炎を生成し、したがって、巨視的伝播が低周波数の静止作用に従うレーザビームの特徴を有する。
【００１７】
注目すべき結果は、一方では、イオン化場の運動量あたりのより良好な収量であり、他方では、加圧時のように加熱時にも使用することが可能である連続交換表面を生じる一連の安定膨張である。
【００１８】
さらに、本発明により、火炎の長さとその等方性のために、工業用サイズの反応炉の使用を可能にする簡単な適用も可能になり、したがって、本発明は、大規模な炉に適用することが可能である。完全なイオン化のために、酸化物が発生しないことは、環境にとって有利な結果であり、この利点により、事実上制限なく、多くのタイプの固体廃棄物または液体廃棄物を、それらに限定されることなく、害にならなくかつ経済的に実現可能な方式で処理することが可能になる。
【００１９】
本発明が特に目的とすることは、上述した欠点を克服することである。
【００２０】
このために、本発明は、１つの物質または複数の物質Ｍの混合物の燃焼反応によってプラズマを生成するための装置に関し、
前記物質Ｍの流れの定常循環を作るための「ファブリ−ペロー」空洞タイプの共振室を備え、前記物質Ｍは、少なくとも１つの供給手段を通って前記共振室を貫通し、かつ調整された形態で、すなわちコヒーレントな半凝縮された定常振動状態で、細長いパイプの形態である少なくとも１つの出口を通って共振室から出て、装置はさらに、
オリフィスを介して前記共振室と連絡し、かつ変調可能な高調波を生成するための音響装置を装備した音響室と、
前記１つまたは複数の細長いパイプを通ってこの共振室に向かう外部空気の再循環を生成するのと同時に、共振室の１つまたは複数の細長いパイプを通って出る調整された物質を受け取るための容積が調節可能なソリトン室とを備え、ソリトン室は、少なくとも１つの調節可能な流量空気入口を装備し、かつ前記ソリトン室の出口に隣接する脈動吸引部材でイオン化物質を生成するための空間を画定することを特徴とする。
【００２１】
本発明は、また、本発明による装置を使用する物質のイオン化または変換のプロセスに関し、
脈動吸引部材と、可能であれば点火補助装置とを始動することと、
イオン化または変換される物質Ｍを共振室に導入することと、
必要であれば、以前に導入された物質Ｍの従来の予備燃焼を開始することと、
音響装置と脈動吸引部材とを使用して、コヒーレントな半凝縮された定常振動状態に、物質Ｍを調整することと、
共振室において数回往復した後、物質Ｍの放出流の波が、１つまたは複数の細長いパイプで発生する気流からなる反射波の形態で、この入射波の反射を生成し、共振室の負の圧力を補償し、かつ鏡面間の反射を維持する気流を維持する出口において、１つまたは複数の細長いパイプを通して、調整された物質Ｍを吸引することと、
１つまたは複数の細長いパイプの周辺に位置する空気入口を通って、１つまたは複数の細長いパイプから出る調整された物質Ｍに、外部空気を追加することと、
任意に点火補助装置を使用して、調整された物質Ｍをイオン化することとである段階を備えることを特徴とする。
【００２２】
本発明は、また、プロセスの様々な応用と、本発明による装置を使用する様々な目的に関する。
【００２３】
本発明は、非限定的な例として与えられ、かつ添付の概略図を参照して説明される好ましい実施形態に関する以下の記述によって、よりよく理解されるであろう。
【００２４】
添付の図面の図１は、本発明の一般的な装置の簡略化した図である。すなわち、本発明による、１つの物質または複数の物質Ｍの混合物の燃焼を含む反応によってプラズマを生成するための装置であり、
前記物質Ｍの流れの定常循環を作るための「ファブリ−ペロー」空洞タイプの共振室１を備え、物質Ｍは、少なくとも１つの供給手段２を通って前記共振室１を貫通し、かつ調整された形態で、すなわちコヒーレントな半凝縮された定常振動状態で、細長いパイプ４の形態である少なくとも１つの出口３を通って共振室１から出て、装置はさらに、
オリフィス６を介して前記共振室１と連絡し、かつ変調可能な高調波を生成するための音響装置７を装備した音響室５と、
前記１つまたは複数の細長いパイプ４を通ってこの共振室１に向かう外部空気の再循環を生成するのと同時に、共振室１の１つまたは複数の細長いパイプ４を通って出る調整された物質を受け取るための容積が調節可能なソリトン室８とを備え、ソリトン室は、少なくとも１つの調節可能な流量空気入口９を装備し、かつソリトン室８の出口に隣接する脈動吸引部材１０でイオン化物質を生成するための空間１１を画定することを特徴とする。
【００２５】
図１に示したように、共振室１は、「ファブリ−ペロー」空洞などの反射生成端部を有する細長い円筒の容積からなる。この共振室１は、懸濁している調整された物質Ｍの飽和流の反射された定常循環を促進し、かつ前記共振室１を音響室５に接続するオリフィス６の作用によって増強された縦振動を維持するように構成される。
【００２６】
調整される物質Ｍは、１つまたは複数の供給手段２を通って共振室１の内部に入り、例えばネックの形態で生成された出口３など、少なくとも１つの出口３を通って、後の反応のために調整された状態で、共振室１を出る。
【００２７】
本発明の特徴によれば、共振室１に物質Ｍを供給するための手段２は、前記共振室１に作成された少なくとも１つの供給開口１３からなる。共振室１の底部に向かう、または底部自体にある開口により、物質Ｍが固体、液体、または気体であるかに応じて、物質Ｍを導入または注入することが可能になる。供給手段２を作成する様々な方法について、以下で説明する。
【００２８】
図１に示した実施形態では、調整された物質は、共振器のネックを形成するように、両端が開いている細長いパイプ４の形態で作成された単一出口３を通って共振室１を出る。この細長いパイプ４は、共振室１の断面より小さい断面を有し、したがって、断面の比率（インピーダンスファクタ）は、脈動吸引部材１０によって一方向に作られ、かつ前記共振室１において前記脈動吸引部材１０によって作られた低圧によって反対方向に作られる、二重循環を助長するように寸法決めされる。
【００２９】
１つまたは複数の細長いパイプ４の長さは、前記１つまたは複数の細長いパイプ４の１つまたは複数の端部４’と、パイプが自由に開いているソリトン室８の第１開口８’との間の距離を調節するための構成に応じ、あるいは脈動吸引部材１０が、半波長で反響することを条件として、脈動吸引部材１０の構成に応じる。
【００３０】
本発明の特徴によれば、１つまたは複数の細長いパイプ４は、たとえば入れ子式部分の形態で生成することによって、長さが調節可能である。前記１つまたは複数の細長いパイプ４の長さを調節する他の方法も可能であり、例えば伸張性の蛇腹によって接続された部分などがある。これらの部分は、実際に、本発明による一般的な装置を始動し、調節パラメータを改善し、または前記装置の動作中に、１つまたは複数の細長いパイプ４を迅速に清掃することをより容易にすることが可能である。
【００３１】
前述したように、本発明の他の特徴によれば、１つまたは複数の細長いパイプ４の断面は、共振室１の断面より小さく、脈動吸引部材１０に接続されたソリトン室８の第１開口８’の断面より大きく、前記第１開口８’の断面を有する傾向がある物質Ｍの流れが、少なくとも１つの空気入口９を通ってソリトン室８に導入され、かつ共振室１の方向に前記１つまたは複数の細長いパイプ４で発生する空気からなる反射波を、１つまたは複数の細長いパイプ４内に導入するための少なくとも１つの環状空間を出る。
【００３２】
他の特徴によれば、共振室１を循環する波の基本周波数で反響し、かつ、１つまたは複数の細長いパイプ４の出口から共振室１へ向けられた反射波が、入射波と共通モードを生成して、うなりを促進するように、１つまたは複数の細長いパイプ４の固有周波数が選択される。
【００３３】
音響室５は、オリフィス６を介して共振室１に緊密に接続され、かつ、このオリフィス６から遠い側面上に、調節可能な音響装置を装備した音響共振容積からなる。本発明の特徴によれば、音響装置７は、音響マフまたは音響リードであり、たとえば、可変ポートフルートタイプの装置、または自由空間が調節可能である自由リードを有する装置である。
【００３４】
この音響室５のサイズと形状は、音響室が提供される装置またはその装置のレイアウトに適合され、１つまたは複数の出口３の間の距離に関して起因する音響部材７の脈動高調波のｎ番目のファクタである、オリフィス６の領域のピンチと音響部材７との距離の影響を受ける。
【００３５】
したがって、本発明の特徴によれば、音響室５のサイズと形状は、前記オリフィス６と前記音響装置７との距離に応じ、この距離自体は、前記共振室１の１つまたは複数の出口３と前記音響装置７との距離で調節される。
【００３６】
前記オリフィス６と前記音響装置７との距離は、前記共振室１の１つまたは複数の出口３と前記音響装置７との距離の完全な約数である。
【００３７】
本発明の他の特徴によれば、オリフィス６と、音響装置７と、音響室１の出口３とは、一直線に合わされる。
【００３８】
特に図１に示したように、ソリトン室８は、脈動吸引部材１０と共振室１の出口３との間に配置される。
【００３９】
第１実施形態によれば、ソリトン室８は、円筒または準円筒の形状２７を有し、脈動吸引部材１０に接続するための第１開口８’と、共振室１の１つまたは複数の細長いパイプ４にはめ込まれる第２開口８”とを備え、したがって、前記第２開口８”と前記１つまたは複数の細長いパイプ４との間に残っている空間は、前記ソリトン室８の少なくとも１つの空気入口９を形成する。
【００４０】
第２実施形態によれば、ソリトン室８は、ほぼフレア付きベル２８の形状を有し、一方では、脈動吸引部材１０に接続するための拡大側面の第１開口８’と、他方では、共振室１の１つまたは複数の細長いパイプ４にはめ込まれるいくらか湾曲した開口８”とを備え、したがって、前記第２開口８”と前記１つまたは複数の細長いパイプ４との間に残っている空間は、前記ソリトン室８の少なくとも１つの空気入口９を形成する。
【００４１】
本発明の特徴によれば、ソリトン室８の第２開口８”は、１つまたは複数の細長いパイプ４の断面より大きい断面を有し、１つまたは複数の細長いパイプ４の長さの半分に等しい長さとを有するスリーブ２９によって、１つまたは複数の細長いパイプ４を有する側が延長される。前記スリーブ２９は、前記１つまたは複数の細長いパイプ４の自由終端部に固定して配置され、前記スリーブ２９と前記１つまたは複数の細長いパイプ４との間の自由空間は、前記ソリトン室８のための少なくとも１つの空気入口９を形成する。
【００４２】
変形形態によれば、ソリトン室８の第２開口８”は、１つまたは複数の細長いパイプ４の断面より大きい断面を有し、１つまたは複数の細長いパイプ４の長さの半分に等しい長さとを有するスリーブ２９によって、１つまたは複数の細長いパイプ４を有する側が延長される。前記スリーブ２９は、前記１つまたは複数の細長いパイプ４の自由終端部に可動式に配置され、前記スリーブ２９と前記１つまたは複数の細長いパイプ４との間の自由空間は、前記ソリトン室８のための少なくとも１つの空気入口９を形成し、ソリトン室８の第２のいくらか湾曲した開口８”は、前記スリーブ２９で摩擦してスライドする。
【００４３】
他の特に重要な特徴によれば、ソリトン室８は、共振室１に対して可動である。
【００４４】
脈動吸引部材１０は、ソリトン室８に対して可動であり、前記ソリトン室８と前記脈動吸引部材１０との間の空間は、可変ポート流量加速装置３０の一部を形成することが有利である。
【００４５】
以下でより詳細に説明するように、本発明による装置は、また、共振室１、ソリトン室８、および／または脈動吸引部材１０が、少なくとも１つのレール３２に沿って移動する１つまたは複数のキャリッジ３１の上に取り付けられることを特徴とする。
【００４６】
他の特徴によれば、本発明による装置は、流量加速装置３０を通過する流束の環状加速を生成する、配向された接線方向の回転円形吸引運動を形成するための手段を備える。
【００４７】
共振室１の１つまたは複数の細長いパイプ４は、外部周辺上に、共振室１の方向に増大する外表面を有する要素３３を有し、したがって、第２開口８”の壁、またはスリーブ２９によるその延長部の壁と、前記要素３３の外表面との間の空間は、前記第２開口８”または前記スリーブ２９が、前記要素３３に接近するとき、減少し、これにより、空気入口９に入る空気流量の調節が可能になる。
【００４８】
要素３３の外表面は、第２のいくらか湾曲した開口８”の形状またはスリーブ２９の形状と一致する形状を有することが好ましい。
【００４９】
変形形態では、要素３３は、たとえば、らせんねじの回りにスライドまたは回転することによって、１つまたは複数の細長いパイプ４の上に可動式に取り付けられる。
【００５０】
１つまたは複数の細長いパイプ４の上の、任意にスリーブ２９によって延長された第２開口８”の入れ子の深さは、物質Ｍのイオン化反応を抑制するために、ソリトン室８、スリーブ２９、および／または要素３３の変位により調節することが可能であり、前記入れ子の深さを変更することにより、空気入口９を通って入る空気の位相状態を、前記空気流が共振室１から抽出された物質Ｍの流れと反対の位相にあるように、適合することが可能になる。
【００５１】
添付の図面の図１は、本発明による装置の簡略化した非限定的実施形態を示す。この図では、楕円ソリトン室８は、前記ソリトン室８を脈動吸引部材１０に緊密に接続するための第１開口８’（拡大側）と、第１開口８’から離れて位置する第２開口８”（先細り側）とを備える。
【００５２】
図示したソリトン室８は、１つまたは複数の空気入口９によって、外部空気と接続され、主に２つの機能、すなわち、一方では、細長い導管４を通ってソリトン室８の内部へ幾分深く貫通する共振室１の出口３を受け、出口３（または細長いパイプ４の端部４’）と、前記ソリトン室８の第１開口８’との距離を調節して、レール３２上のキャリッジ３１の位置に対して作用することによって、反応を調節し、抑制することを可能にし、他方では、空気入口９のために、共振室１から抽出した流れに対して位相が反対の状態で、気流を取り入れる、という２つの機能を有する。
【００５３】
ソリトン室８は、空気入口９の調節可能な取入れ口が、たとえば半波長で反響する細長いパイプ４の節平面、共振室１または音響室５の１つの節平面の１つなど、装置の節平面の領域に必ずかつ永続的に配置されるような方式で構成される。
【００５４】
変形形態によれば、ソリトン室８の第２開口８”を通る空気入口９は、装置の節点の１つから始まる少なくとも１つのパイプによって、緊密な方式で提供される。
【００５５】
空気入口９を通ってソリトン室８に入る空気の量は、共振室１に行き渡っている低圧を補償し、かつ抑制するために、細長いパイプ４を通るソリトン再循環を可能にしなければならない。
【００５６】
レール３２は、キャリッジ３１を担持し、このキャリッジの横方向の変位により、第１開口８’の領域にあるソリトン室８の出口と、細長いパイプ４の端部４’との間の距離を調節することが可能になる。レール３２は、共振室１に接続することが可能であり、脈動吸引部材１０に結合されたソリトン室８は、前記レール３２上を横方向にスライドするキャリッジ３１の上に固定される。
【００５７】
変形形態では、レール３２は、結合された脈動吸引部材１０とソリトン室８に接続され、共振室１は、キャリッジ３１の上に可動式に取り付けられる。
【００５８】
他の特徴によれば、本発明による装置は、ソリトン室８の空間１１に、調整された物質Ｍのための少なくとも１つの点火補助装置１２をも備えることを特徴とする。
【００５９】
脈動条件で吸引させることができ、点火補助装置１２を装備したまたは装備していないあらゆる固定装置または機械装置は、本発明の他の目的を形成する、物質を変換するためのプロセスを実施する本発明による装置を稼動するために、ソリトン室８の第１開口８’に結合することができる。
【００６０】
適切な脈動吸引部材１０には、非限定的な例として、固定装置（固定スモークダクト３４、パルスジェット３６の１組のデフレクタ３５）と、機械装置（ファンタイプの装置またはブローイングタービン３７によって作動される可変ポート流量加速装置３０、ソリトン室８の第１開口８’に取り付けられた第１ブレード３９が、脈動吸引を生成するガスタービン３８、内部燃焼機関４１、４２、または組み合わせた装置（ラムジェット））とが含まれる。
【００６１】
内部燃焼機関４１、４２の場合、空間１１における調整された物質Ｍのための点火補助装置１２は、内部燃焼機関４１、４２の点火補助装置であることが好ましい。
【００６２】
本発明による一般的な装置（図１）の動作原理は、以下の通りである。
【００６３】
ソリトン室８の第１開口８’は、１つまたは複数の脈動吸引部材１０に接続され、この部材は、必要であれば、それ自体の点火手段または点火補助装置１２（たとえば、電極またはスパークプラグを備える）を装備し、かつ流量調節手段を装備する。次いで、脈動吸引部材１０を始動し（必要であれば、点火補助装置１２を含む）、供給手段２を通して、物質Ｍを共振室１に導入する。１つの物質または複数の物質Ｍの混合物は、コヒーレントで半凝縮された定常振動状態の物質（クラウドまたはミスト）の場の形態に調整される。
【００６４】
共振室１における複数の往復運動の後、物質の場は、細長いパイプ４の出口３を通って吸引され、外部から空気入口９を通ってソリトン室８内へ貫通する気流に追加される。次いで、物質の収縮場が、ソリトン室８の第１開口８’に到着し、そこで、気流に追加された後、速度の脈動の影響を受ける。この速度は、点火手段または点火補助装置１２によって生じた真空によって局所的に増大され、加速された場の全体的なイオン化をもたらす。イオン化場の速度の腹は、速度の増大の役割を担う第１開口８’と一致した真空を作り、したがって、この第１開口８’を通過するすべての物質をイオン化する。
【００６５】
不要になった点火装置または点火補助装置１２は、消火され、加速反応は、共振室１が、物質Ｍの供給を保証されることを条件として、火炎を維持することによって続行される。
【００６６】
点火を容易にするために、音響装置７の調節装置は、完全に開かれる。流量加速装置３０は、ソリトン室８の大きく開かれた空気入口９による空気の流量と、細長いパイプ４の端部４’に向けられた第１開口８’を通る流量とに関連して、最低に調節される。物質が、第１開口８’の領域にミストの形態で出現した直後に、音響装置７内への空気の通路は、脈動状態の確立と同時に、低圧の強度を次第に増大するように、次第に閉鎖される。
【００６７】
放射火炎の進行には、共振室１における調整速度に対応する正確な流量が確立されるまで、最小動作点へ向けた音響装置７の調節、第１開口８’と細長いパイプ４の端部４との間の距離の増大、空気入口９の流量の調節、および脈動吸引部材１０のパワーの増大など、適切な制御が続く。
【００６８】
実際、流量加速装置３０またはベンチュリの領域における流れの速度が、共振室１における調整速度と比較して、非常に遅い場合、粒子の場は、飽和して、より重くなり、第１開口８’の領域における不適切な速度の脈動により、抑制したときに、未燃ＣｘＨｙが明らかになる。
【００６９】
一方、前記ベンチュリによって課された低圧が非常に高い場合、または空気入口が、非常に制限されている場合、水素の放出による収縮振幅の増幅は、不十分に補償され、圧電気が、ＳＯ２と窒素酸化物ＮＯｘの出現によって観測される。欠点は、専ら、この場合は空気入口９の開口に起因する酸素（廃棄物において測定）の不足と、ベンチュリによって加えられた力とによる可能性がある。この力は、共振室１の低圧を補償することができる再循環の形態で、波の反射を促進するように、十分強いままでなければならない。
【００７０】
物質Ｍが、共振室１に導入され、懸濁された後、以下で詳細に記述するように、振動状態の影響を受けて、音響条件によって誘発された経路の中心から循環する。
【００７１】
第１開口８’からソリトン室８、細長いパイプ４、および共振室１に連続的に伝達された脈動吸引部材１０による脈動吸引により、この共振室１の空気を調整する循環定常運動が伝播される。
【００７２】
細長いパイプ４によって伝達された吸引により、反対側の壁の領域において、低圧が作られ、この低圧は、ソリトン室８の細長いパイプ４の端部４’に再び伝達され、そこで、共振室１において当初作られた低圧を補償する気流を再循環させることによって伝達された圧力と反対の方向に、再び反射される。次いで、この反射波は、細長いパイプ４から遠い背面と再び接触する。
【００７３】
「ファブリ−ペロー」空洞などの共振室１は、懸濁している種の飽和によって形成された気体またはミストのこの循環の複数反射を維持する。前記反射は、細長いパイプ４と前記共振室１との間の断面の比率から得られるインピーダンスによって促進される。
【００７４】
入射低圧は、共振室１の壁によって反射されるが、オリフィス６の領域を除く。この領域では、入射低圧は、音響室５に伝達され、さらに、標準的な圧力の外部空気と接触する音響装置７まで伝達される。次いで、大気圧は、通過する際に、音響装置７を作動して共振状態にさせる圧力を導入することによって、音響室５に平衡を再確立することを試行する。
【００７５】
音響装置７の振動は、共振室１の脈動によって維持され、脈動自体は、細長いパイプ４を通して、脈動吸引部材１０から始まる吸引によって維持される。細長いパイプ４と音響装置７との間で維持された脈動は、オリフィス６の領域においてピンチングされたコードに対応するかのようである。したがって、共振室１の巨視的脈動は、音響室５に対する固有作用の結果である高周波数高調波の形態で、オリフィス６の領域におけるピンチングの結果として反射された微視的振動を伝達し、管楽器のマウスピースによって生成された音を伝達する気流の循環と同様である。
【００７６】
したがって、共振室１を循環する定常流は、そのコアにおいて、コヒーレントな振動が、全体的な巨視的脈動の高調波である高周波数音響振動を伝達する。したがって、この流れによって伝達された粒子の運動は、一般的な定常運動の場合のように、位置と方向についてコヒーレントであり、速度ｕの適用の結果である加圧ΔＰＢは、以下のようになる。
【数１】
2004509312.tif 000003
上式で、ＰＢは、従来の流れの圧力、ｐ０は密度、ｕは音速、すなわち粒子が乱流を通過する際の粒子の速度を表す。
【００７７】
音響圧ΔＰＡは、同じ速度における従来の流れの定常緩和または圧縮の結果である音響圧より、そうでない場合には高いことが知られている。
【数２】
2004509312.tif 000004
上式で、Ｃ０＝考察中の（気体）媒体における音速であり、
同じ速度をとる結果である音響圧ΔＰＡは、ΔＰＡ＝ｐ０Ｃ０ｕであり、下式を得る。
【数３】
2004509312.tif 000005
Ｍ＝０．００５であるとき、この比は４０である。すなわち、音響圧は、同じ速度における定常緩和または圧縮の結果である音響圧より、４０倍高い。
【００７８】
脈動吸引部材１０の吸引の影響を受けた共振室１の空気は、低圧状態に維持されるので、音響圧脈動は、この状態によって吸収される。一方、収縮脈動は、共振室１の低圧を瞬間的に増強し、強化されて、共振室１の容積全体に応力を加えるうなり効果を生成する傾向がある。懸濁した凝集体の形態で存在し、かつ収縮方向に向いたこれらの調波脈動の影響を受けるすべての粒子または粒子のグループは、歳差運動をし、また凝縮する傾向がある。この効果とうなり効果により、粒子の振舞いは、方向と位置について、粒子を伝達する定常流の位相とコヒーレントになる。収縮後の凝集体のコヒーレンス、全体的な方向配向、および質量の増大は、媒体のエネルギーの吸収に応じ、特に、他の相互作用にも影響を与え、かつ、粒子の場を周囲の重力状態とは無関係にするファンデルワールス力の瞬間的な安定性と発展に必要な熱の吸収に応じる。
【００７９】
共振室１の雰囲気は、音響装置７を通る空気が、定常的な方式で細長いパイプ４から出る再循環または還流によってのみ供給されるので、圧力値が大気圧に非常に近いように、圧力を維持しながら、変換条件が、低減条件として維持されるように、共振室１の圧力を抑制することが重要である。
【００８０】
実際、分子結合が切断されると、水素原子が放出されて、大量の熱を吸収して気体状態になる。このプロセスは、収縮振幅を著しく増大し、凝集体の結晶化をもたらし、これにより、当初の低圧が著しい場合、コヒーレンス破壊圧電効果が生成される。
【００８１】
空気入口９を装備したソリトン室８は、２つのパラメータ、すなわち、第１開口８’の領域における吸引された物質の場に、ある体積の空気を供給することによって変調することが可能である、１つまたは複数の細長いパイプ４に対する脈動吸引部材１０の吸引力と、他方では、共振室１の低圧を標準的な外圧に近く維持するように構成された１つまたは複数の細長いパイプ４によって、共振室１に伝達された空気の再循環または還流によって補償することが可能である、音響室１から抽出された流れによって作られた低圧とに影響を与えることによって、レギュレータとして作用しなければならない。
【００８２】
コヒーレンスと物質場の状態の条件が、このようにして作られるので、物質場は、共振室１を循環した後、１つまたは複数の出口３を通って吸引される。１つまたは複数の細長いパイプ４の断面は、共振室１の断面と比較して小さいので、収縮の範囲は、この程度まで増大され、ソリトン室８を脈動吸引部材１０へ接続する第１開口８’に始まる通路において、収縮の後続段階に対し、影響を与える。
【００８３】
第１開口８’によって形成された通路は、速度の「節点」を形成し、節点では、理論的に不動の粒子は、流れの平均速度を超えない。一方、圧力変化は、速度節点において最大であり、これは、この点で、物質の場によって伝達された電荷の電位を増大する傾向がある。双極加速（第１開口８’の「節点」における通路の結果）は、崩壊を招くので、反対の電荷のキャリアが必要である。
【００８４】
したがって、物質場に加えられた気流は、物質場の条件と対抗する方向における配向、運動、および発展のある条件を満たさなければならず、また、位相が反対でなければならない。ソリトン室８内への外部空気入口９の領域には、速度の「腹」が存在することが知られている。この吸気点が、半波で反響する１つまたは複数の細長いパイプ４の中間「節点」の領域にある場合、第１開口８’に向かって同じ方向を向いた平行循環は、脈動吸引部材１０によって、または流量加速装置３０のために、分配された空気とは位相が反対である。
【００８５】
したがって、導入された空気は、前記第１開口８’の領域における物質の流れの収縮状態とは反対の圧力状態にあり、したがって、双極加速結合の条件を満たす。
【００８６】
相対速度パルスの節平面（第１開口８’の領域に位置する）に続く膨張では、崩壊効果は、移動する質量に応じる。凝集体の密度が十分である場合、イオン化は追加の加速ファクタを必要としない。点火は、脈動吸引部材１０の領域では、瞬間的である。
【００８７】
一方、充填密度が不十分である場合、速度の増大は必須である。経験から、脈動吸引部材１０の領域において、第１開口８’の後に配置された膨張空間１１に近いあらゆる点におけるスパークプラグまたは電極からの制限された一連のスパークは、第１開口８’の領域に存在する節空間を通過する物質場全体を、完全かつ永続的にイオン化させるのに十分である。
【００８８】
火炎の点火と安定化の後、点火補助装置１２は、消火される。したがって、反応は、共振室１の供給手段２による供給が中断されない限り、続行される。
【００８９】
物質場の火炎の反射である、火炎のコヒーレンスは、低伝播周波数を有するレーザビームのコヒーレンスであり、その色は、音響室５によって生成された高調波のうなりの周波数と有効性に応じる。加速によってイオン化された物質の場のすべての膨張運動エネルギーは、利用可能となる。
【００９０】
脈動吸引部材１０の特徴に応じて、運動量は、交換器にもたらされた熱の形態で減衰し、交換器は、続行する定常膨張運動の複数の段階を受け取る場合、さらにより効果的である。
【００９１】
他の実施形態では、空間１１に閉じ込められた運動量は、タービンのピストンまたはブレードに適用可能な圧力となる。また、物質場の凝縮をもたらすソリトン室８、１つまたは複数の細長いパイプ４、および室１の装置を使用して、「新規な」物質の形態で、このエネルギーを貯蔵することも可能である。
【００９２】
使用した物質Ｍが、供給停止後に、処理の慣性を提示する場合、反応が完全に停止するまで次第に鎮静化していくように、単に、脈動吸引部材１０の吸引を低減して、要素３３の位置と、空気入口９の開口と、キャリッジ３１の位置とを適切に調節すればよい。
【００９３】
本発明による装置のいくつかの好ましい変形形態について、非限定的な例として、以下で説明する。
【００９４】
図２から６は、混合液体および気体バーナー（図２）、４ストローク内燃機関（図３）、２ストローク内燃機関（図４）、工業用のタービン（図５）、およびパルスジェット（図６）によって機械的に作動される本発明による装置を示す。
【００９５】
添付の図面の図２は、本発明による装置を示す。装置は、液体および気体を使用するように構成され、その粘性およびサイズに関係なく、前記装置が家庭用であるかまたは産業用であるかに関係しない。
【００９６】
この図からわかるように、図１の一般的な装置のこの変形形態は、気体状態および液体（流体または粘性）状態に適合された特有の手段によって、選択的にまたは同時に、液体および／または気体を使用するように構成される。具体的には、供給手段２、細長いパイプ４、およびオリフィス６を装備した共振室１は、応用分野に応じて収集手段２４および／または放出手段２５、２５’を備え、またベント２３を備える。
【００９７】
ソリトン室８の調節を容易にすることを意図したスリーブ２９は、細長いパイプの端部４’に対する前記ソリトン室８の第１開口８’の位置に関係なく、細長いパイプ４の節平面の領域に空気供給入口９を維持するように、共振室１の細長いパイプ４に固定される。前記スリーブ２９は、それ自体と細長いパイプ４の外表面との間に、空気入口９を通って入る空気のための通路を作る。
【００９８】
音響室５は、音響装置７（音響マフまたはリード）を装備し、オリフィス７を通して共振室１に緊密に接続される。
【００９９】
本発明の特徴によれば、供給手段２は、物質Ｍのための１つまたは複数のインジェクタおよび／またはネブライザ１９、２０からなる。物質Ｍは、前記インジェクタおよび／またはネブライザ１９、２０に適した状態を獲得するために、任意に以前に処理されることができる。
【０１００】
インジェクタおよび／またはネブライザ１９、２０は、共振室１に供給されることを意図した物質Ｍのためのヒータ２２を備えることが有利である可能性がある。
【０１０１】
特に図２からわかるように、共振室１に物質Ｍを供給する手段２は、追加加熱された可変流量注入ポンプ２１によって、または供給のこれらの２つの源の混合結合によって供給された、１つまたは複数の気体注入ノズル、あるいは１つまたは複数の液体インジェクタからなることが可能である。
【０１０２】
他の特徴によれば、共振室１および／または音響室５および／またはソリトン室８および／または細長いパイプ４は、また、オーバーフローレート、残留物および／または生成された燃焼凝縮物のための１つまたは複数の収集手段２４および／または放出手段２５、２５’を備える。前記収集手段２４および／または放出手段２５、２５’は、熱保護手段および／または冷却手段および／または閉込め手段である、ベント２３を備えることが可能である。
【０１０３】
例示した好ましい実施形態では、収集手段２４は、音響室５のオリフィス６の下およびその周辺に配置される。
【０１０４】
共振室１のオーバーフローまたは飽和のための放出手段２５、２５’は、管からなることが可能であり、また外部空気から封止され、たとえば共振室１または音響室５の内部へ開いているベント２３を装備することが可能である、共通の収集手段２４またはリザーバに接続することが可能である。
【０１０５】
本発明による装置の縦軸Ｌに配置され、かつ細長いパイプ４の端部４’と組み合わされるソリトン室８は、固定支持体でスライドするキャリッジ３１の形態で作成された移動支持体に固定される。固定支持体自体は、共振室１に接続された１つまたは複数のレール３２の形態で作成される。
【０１０６】
スリーブ２９は、縦軸Ｌと平行な方向に摩擦してスライドすることによって変位することが可能であり、それにより、細長いパイプ４に固定された要素３３に対して、空気入口９を変位させる。これにより、このソリトン室８の第１開口８’と細長いパイプ４の端部４’との間の距離の調節が可能になり、スリーブ２９と細長いパイプ４との間の空間は、外部との連絡手段として役立つ。この空間の断面は、前記細長いパイプ４の上でスライドすることによって、またはらせん回転することによって調節することが可能である円錐スリーブの形態などで作成された、１つまたは複数の要素３３によって抑制することが可能である。
【０１０７】
流量加速装置３０は、これ以後ソリトン室８の第１開口８’に緊密に取り付けられた脈動吸引部材１０の可変流量ベンチュリとしても知られており、やはり、共通支持体またはキャリッジ３１に固定することが可能である。
【０１０８】
図２に示したように、このベンチュリは、ファンまたはブローイングタービン３７によって供給することが可能であり、その分岐部分は、スパークプラグまたは電極などを有する点火補助装置１２を装備することが可能である。
【０１０９】
１つまたは複数のレール３２は、共振室１に接続された支持手段として作用し、ソリトン室８と細長いパイプ４との間の第１開口８’と端部４’の経路を調節するための装置（図示せず）を備えることが可能であることが有利である。
【０１１０】
図２に示した装置は、以下の方式で動作する。ブローイングタービン３７から始まる空気源を作動することによって、流量加速装置３０またはベンチュリを始動する。任意にヒータ２２によって加熱された可燃性物質Ｍを、インジェクタおよび／またはネブライザ１９、２０によって共振室１に注入する。
【０１１１】
従来の低圧ノズルによって、気体を注入し、一方、液体（密度に比例する）を注入するための圧力は、調整のために使用した収縮のために、従来使用した値の範囲内に依然としてあることが有利である。
【０１１２】
共振室１への供給物が混合され、たとえば気体と燃料の混合物で生成された場合、まず気体との反応を開始することがより容易であるが、これに拘束されることはない。
【０１１３】
同様に、ヒーブ燃料または汚染油を使用することは、気体または再びガソリンを初めに使用する場合、あるいは平均的または高粘性の物質と共に使用する場合、非常に容易になる。次いで、燃料が促進する始動を停止することが可能である。
【０１１４】
注入圧力によって噴霧または霧化された気体および液体は、共振室１の振動循環条件によって調整され、細長いパイプ４にミストの状態で到着し、ソリトン室８の抑制効果によって吸引される。
【０１１５】
物質場が、ベンチュリの領域にあるとき、点火補助装置１２のスパークプラグまたは電極によって点火される。
【０１１６】
家庭で使用することを意図した本発明による装置は、一度だけ事前調節および較正することが可能であり、単に、流量と、媒体への適合とを調節すればよい。家庭での使用に特に適した変形形態によれば、ソリトン室８は、細長いパイプ４に緊密に接続され、外部空気入口９は、この細長いパイプ４の端部４’の領域において、空気を分散させるように、細長いパイプ４の内部に貫通し、かつパイプ４の節平面または装置の節平面の１つにおいて始まる管の形態で生成される。
【０１１７】
工業用サイズまたは重油処理用の本発明による装置では、パワーの増大は、より進行しており、点火時にスモークの排出を回避するように、装填物の増大に追従することが不可欠である。
【０１１８】
ベンチュリを使用する点火は、常に、最小速度調節の条件下で、点火補助装置１２によってまず実施される。すなわち、音響装置７を開き、第１開口８’と出口３との距離を低減し、空気入口９を安全限界まで開き、流量加速装置３０を低減した速度で動作させる。反応が開始された後は、液体システムの反応の進行は、迅速であり、したがって、共振室１における物質Ｍの調整レートに対応する正確な流量が確立されるまで、注入流量の適切な調節、最低点への音響装置７の適切な調節、第１開口８’と出口３（または端部４’）との距離の増大の適切な調節、空気入口９の断面の低減または増大の適切な調節、およびベンチュリのパワーの増大の適切な調節を、即座に実施することが可能である。
【０１１９】
実際、ベンチュリにおける流量が、共振室１における調整レートと比較して非常に遅い場合、粒子場は、飽和しより重くなり、第１開口８’の領域における不適切な速度パルスにより、未燃ＣｘＨｙが出現することがある。一方、ベンチュリによって加えられた低圧が、高過ぎる場合、または空気入口９が、非常に制限されている場合、水素の発生による収縮範囲の増大は、不十分にしか補償されず、圧電気が、ＳＯ２と窒素酸化物ＮＯｘの出現によって提示される。欠点は、廃棄物において測定した酸素の単なる不足である可能性がある。この場合、空気入口９の開放とベンチュリによって加えられた力が原因とされる。力は、ソリトン室８において、到着する空気の１つまたは複数の細長いパイプ４における再循環の形態である波の反射を促進するように、十分強くあり続けなければならない。
【０１２０】
火炎が安定した直後に、点火補助装置１２による点火が停止される。調節は、たとえば、装置の重要点に記録されたパラメータを監視するセンサを使用することによって、および処理用のコンピュータプログラムを使用することによって、自動化することが可能である。
【０１２１】
気体と、比較的流動性の液体（家庭用燃料またはある低密度の精製油と同程度の粘性）は、使用が容易であるが、その理由は、これらは、すでに、気体と同様の単純な分子形態であるか、またはインジェクタによって噴霧される液体の場合は、微細な液滴の形態であるからである。これらは振動に敏感で、容易に凝縮し、自由度がより高いことにより、定常流の速度が速い小規模共振室１における迅速な調整を可能にし、より高い周波数のパルスを出現させる。
【０１２２】
従来の燃焼反応を開始することによって、共振室１においてより微細な解離を実施する必要はない。二水素分子の分解は、最終収縮の瞬間に行われ、その後、上述したように、抑制された第１開口８’の節平面を通過する。物質場の初期のイオン化または点火は、点火補助装置１２のスパークによる局所的な加速のみを必要とする。点火補助装置は、その後停止される。
【０１２３】
物質がイオン化された後、膨張の高運動速度により、第１開口８’の節平面の領域に、加速真空が作られる。家庭用燃料の第１注入は、初期点火のために加熱されることが有利である可能性がある。
【０１２４】
その後、第１開口８’の節平面におけるイオン化によって作られた真空による振幅の増大は、反応を維持するのに十分である。使用した物質のある密度から、第１開口８’と端部４’との距離を調節する装置と組み合わされた脈動吸引部材１０によって加えられた力を調節する手段は、初期の電子装置による点火を必要とせずに、イオン化を加速させることができる。
【０１２５】
より遅い粘性流体は、非常に精密で、よりはるかに厄介な方式で調整されない場合、小規模共振室１によって課された周波数におけるうなりの応力に応答しない危険性がある。したがって、使用した物質Ｍに存在する接続力に応じて、定常流の経路には、限界寸法が存在する。理想的な調整は、複数の波の反射の影響を受けた粒子のグループを循環させることによって達成される。したがって、重油または汚染油は、それらの自由度に適合された共振室１のサイズと、約７０℃の最低温度まで連続的に加熱することとに応じるが、その目的は、小さい粒子を凝縮させ、したがって、有意な電荷の電位を伝達する凝集体を獲得するための収縮と凝縮の数を増大させることを必要とするエアロゾルの状態を達成せずに、十分に微細な噴霧に必要な粘性を有するようにするためである。
【０１２６】
本発明による装置を使用することから得られる火炎は、低周波数で脈動するレーザビームと同等である。火炎は、大規模な産業用装置においても、巨視的ソリトン波システムに関連するそのコヒーレンス性と連続性の特性を有する。
【０１２７】
イオン化した場の波長は、凝集体の塊を搬送する電荷に追加された第１開口８’の節平面における速度パルスの値に応じることが知られている。確立された火炎で開始するので、放出された気体のＳＯ２、Ｏ２、およびＣＯ２の含有率を参照して、必要な訂正を実施し（ソリトン室８の空気入口９とキャリッジ３１に対して作用することによって）、再循環を抑制することによって、ベンチュリ効果のパワーを増大することが可能である。一方、酸素を供給し、かつ熱じょう乱を局所的に促進する傾向がある音響装置７の領域に存在する音響通路は、強要されてはならない。
【０１２８】
共振室１のサイズに応じて、噴霧の流量および微細性、壁の効果は、除外されず、共振室１の底部に位置する液体の沈殿、ならびに音響装置７の外部気流による音響室５における凝縮とを生じさせる可能性がある。これらの室における蓄積を防止するために、これらの室の雰囲気を変更しない放出手段２５、２５’が、少なくとも１つの収集手段２４に接続される。収集手段は、外部空気から封止され、共振室１または音響室５の内部に曲がって戻るベント２３を装備することが好ましい。
【０１２９】
この実施形態の利点は、家庭用加熱装置の気体や燃料などの異なる燃料の混合使用または連続使用の融通性、ならびに危険を犯さずに排除することが困難な重油または汚染油の使用の容易さにある。イオン化場を通して伝達された熱の量は、熱交換表面を増大させる膨張の腹を連続して生成する、定常発生による従来の火炎の熱量より大きい。
【０１３０】
さらに、大規模な火炎のコヒーレンスにより、全長が長い単一熱源を使用することによって損失を制限する大容量の炉を使用することが可能になる。
【０１３１】
酸化物がないために環境を汚染しない放出物の質は、これらの装置が、市街地および産業用に使用するのに非常に適していることを意味する。
【０１３２】
添付の図面の図３は、本発明による装置の第２実施形態を示す。
【０１３３】
装置は、バルブによって供給された４ストローク内燃機関４１によって作動され、代わりに本発明による装置によって生成された反応は、単一シリンダまたは複数シリンダの内燃機関４１の強制運動を維持する。本発明による装置のソリトン室８は、取入れ段階の機関の燃焼室からなる。
【０１３４】
したがって、脈動または周期的な吸引部材１０は、内燃機関４１からなり、内燃機関は、１つまたは複数の取入れバルブ４３と、排気バルブとを通例備え、点火は制御されているか、または点火はないが、より大きな容積比を有する。
【０１３５】
本発明による装置のための供給手段２のインジェクタおよび／またはネブライザ１９、２０のための注入ポンプ２１は、複数シリンダの内燃機関４１の複数点注入ポンプとすることが有利である可能性がある。
【０１３６】
１つまたは複数の取入れ管４４、４４’（任意にそれらのうちのそれぞれ）は、入口部分（空気入口（９）として示されている）の外部に、ソリトン（半）室８を装備する。このソリトン室には、位置決め装置によって定位置に保持された共振室１の細長いパイプ４のスリーブ２９が収容され、位置決め装置は、内燃機関４１に接続された１つまたは複数のレール３２を走行する移動キャリッジ３１からなる。フランジ４６が、スリーブ２９を受け、かつその調節を容易にするために、取入れ管４４’の（外部）入口の領域に配置される。
【０１３７】
ソリトン室８の１つまたは複数の空気取入れ口９は、細長いパイプ４の節平面の領域に配置される。このパイプの全長は、非限定的な例では、底部死点に向かって上部死点が＋／−１１０°回転するために、ピストン４５が進行する長さに対応する。ソリトン室８の１つまたは複数の空気入口９も、装置の他の可能な節平面の１つと一致して配置することが可能である。
【０１３８】
共振室１はまた、オリフィス６と、たとえば音響マフまたは音響リードの形態で作成された音響装置７とを装備した音響室５を備える。
【０１３９】
本発明の有利な特徴によれば、共振室１の供給手段２は、前記共振室１の出口３と対向して、かつ細長いパイプ４の縦軸に配置される。
【０１４０】
この好ましい実施形態では、共振室１の供給手段２は常に、細長いパイプ４を受ける側面から遠い側面に配置されるが、その方式は、インジェクタおよび／またはネブライザ１９、２０が、理想的であるが非限定的な方式で、共振室１の容積が小さいために、共振室１の縦軸に配置されるというものである。したがって、図３からわかるように、音響室５と、その音響装置７と、そのオリフィス６とは、共振室１から横方向にずれた位置に配置され、すべての前述した要素が水平軸Ｌに集中する、図２などに示した構成とは対照的である。
【０１４１】
内燃機関４１は、従来のランチャまたはスタータでオンされる。物質Ｍの注入は、取入れバルブ４３が開いた正にその瞬間に、選択した燃料を共振室１内に導入するように、行われる。取入れバルブ４３は、取入れの開始時に、クランクシャフトが、上部死点から２９０°回転する前に閉鎖してはならない。
【０１４２】
本明細書で上述した実施形態では、内燃機関４１の燃焼室の容積は、ソリトン室８を形成する。ソリトン室の取入れ管４４’は、以前の実施形態で記述したより一般的なソリトン室８の狭い卵形の側（第１開口８’）に対応する。運動の「腹」が接して形成されるピストン４５は、各垂直運動中に、少なくとも１つの節平面を生成する。取入れの際にピストン４５の運動によって生成された低圧の瞬間波は、ソリトン室８を通過する。このソリトン室は、波の経路が共振室１の底部に到達するまで、取入れ管４４’と協働し、共振室の底部で、波は、共振室１において一連の反射を受けた後、ソリトン室８の方向に反射される。
【０１４３】
波が、まず、ソリトン室８を通過したとき、低圧は、ソリトンを構成する空気の入口９を通る外部空気の通過による第１の補償を生じさせるが、空気入口９の位置に対する細長いパイプ４の端部４’の進行位置のために遅延されている。したがって、ピストン４５の移動により、複数の低圧パルスが生成され、これは、共振室１の底部で反射され、音響装置７を作動し、そのたびに、ソリトン伝播の構成要素である外部空気の波を含み、ソリトン伝播の振幅は、ピストン４５からパルスを受け取るたびに、増大される。共振室１と内燃機関４１の可変容積の燃焼室とは、低圧状態にあるので、収縮の振幅は増大する。
【０１４４】
ピストン４５が、底部死点にあるとき、運動の「腹」は、膨張の際に増大し続け、２９０°の前で収縮に転ずる。極限振幅におけるこのソリトンの収縮は、物質場を凝縮させる傾向がある。より不安定な二水素分子の収縮により、この収縮の振幅を増大させる結合が切断される。ピストン４５が上部死点に向かって上昇中に、炭素の可能性のある結晶化を回避し、かつ収縮の振幅を抑制するために、空気入口９を通して外部空気との接触を維持する取入れバルブ４３は、少なくとも２９０°の角度値まで、開放されたままでなければならない。キャリッジ３１の位置は、ソリトン室８において、外部空気の波による補償が行われるように、調節される。
【０１４５】
取入れバルブ４３を閉鎖した後の上部死点は、先行実施形態のソリトン室８の第１開口８’の節平面と等価な仮想節平面を構成する。点火補助装置１２、またはこの場合はスパークプラグによる点火によって真空の「補完物」は、この時点で介在しなければならない。この動作は、従来のシステムより迅速であり、より小さい進行を必要とし、上部死点上で、約＋／−１０°の進行でプログラムされなければならない。点火のない機関では、ソリトン場の巨視的波長のファクタである、空気入口９およびキャリッジ３１の位置の調節と組み合わされた細長いパイプ４の端部４’の位置により、加速前の節平面を、ちょうど上部死点のレベルに配置することが可能になる。底部死点への通過後の場の収縮は、燃焼室の熱を消費し、これにより、機関は、従来の相当物より加熱が小さい。定常運動は、イオン化後も続行するので、ソリトン室８を空にすることは、排気時に場が収縮することによって容易になる。
【０１４６】
イオン化は、酸化反応とはならないので、本発明による装置と共に動作する機関は、「クリーン」であり、特に環境にとって貴重である。
【０１４７】
添付の図面の図４は、本発明による装置の第３実施形態を示す。装置は、２ストローク内燃機関４２（破線で示す）によって作動される。この機関では、ソリトン室８は、後述するように、共振室１の出口３に接続された取入れ口と燃焼室の２つの脈動容積との間に分散される。
【０１４８】
上述した図４から非常に明瞭にわかるように、本発明による装置のこの実施形態は、先行実施形態で記述した手段と共通のある数の手段を備え、ここで再びすべてを詳述または記述しない。
【０１４９】
例示した実施形態では、装置は、機関の底部から、または取り付けられた室の場合は取入れ管４４を通して、取入れ開口内に導入される。
【０１５０】
フランジ４６も、スリーブ２９を受け、かつその調節を容易にするために、取入れオリフィスの入口に配置される。燃料は、１つまたは複数のインジェクタおよび／またはネブライザ１９、２０を通して、かつ共振室１におけるその性質に応じて、取入れの開始の精確な瞬間に、導入される。燃料は、調整され、次いで、調整空間を燃焼室と結合することによって形成された空間内に導入される。
【０１５１】
伝達を容易にし、かつ調整のより良好な抑制のために、燃焼室の出口ポートは、より長い間開放されたままである。この場合、伝達ダクトの上に配置されたバルブは、共振室１（調整室）の部分への戻りに対抗するように、２９０°を超えると、または圧力により、閉鎖される。本発明による装置は、従来の機関に取付けることが可能であり、更なる修正を必要としない。
【０１５２】
様々な手段を使用して、機関の底部を通して、または独立した取付け室を通して、２ストローク機関を供給することが可能である。後者の場合、すべての圧縮装置は、排除されるべきであり、機関ピストンの位相と反対の位相で吸引する装置のみが、脈動吸引部材１０として使用することが可能である。機関の底部が、ソリトン室８の一部を形成する場合、条件は、即座に達成され、ピストンは、燃焼室の容積を減少させ、かつソリトン室８の補完物を構成する燃焼室の逆位相で自動的にうなるソリトン室８の容積を増大させる。
【０１５３】
調整が、ソリトン室８の取付け部分において実施された場合、その容積は、補完物である燃焼室の方向とは正確に反対の方向にうならなければならない。実際、反対方向に変化する２つの容積の寄与は、理想的には、速度の「腹」が、細長いパイプ４の端部４’にあり、収縮が、第１開口８’の節平面にある、図１または図２の装置のソリトン室８の定常状態を再生成する。
【０１５４】
注入の瞬間は、ピストンが上部死点に向かって上昇することによる取入れの開始時に、ピストンの底部位置によって示される。複数のインジェクタおよび／またはネブライザ１９、２０を通して導入された燃料は、共振室１において調整され、次いで、ピストンが上部死点に向かって上昇することによって、細長いパイプ４を通して吸引される。ピストンの運動の結果である吸引中に、場は、ソリトン室８の一部である細長いパイプ４の端部を通って、速度の「腹」に到達する。
【０１５５】
４ストロークサイクルのピストンのうなりと同じ現象に対応して、ピストンの降下の＋／−１１０°の前と、上昇の＋／−２９０°の前に、節平面が存在する。これらの底部死点の位置と上部死点の位置を軸とせずに作用するピストンに接して、「腹」が存在しなければならない。ピストンは、底部死点から上部死点まで上昇するので、＋／−２９０°の前に節平面が存在し、入射場の膨張の方向は、収縮の方向となる。収縮運動は、空気入口９の開放通路が、上部死点までの端部の上昇中に、補償を実施しなかった場合、ピストンを引き戻す傾向がある。ピストンが、上部死点から底部死点に再降下したとき、場は収縮しており、したがってこの運動を容易にする。＋／−１１０°より前にピストンが降下すると、場の運動は反転され、膨張に戻る。ピストンの経路は伝達ポートを明らかにするが、膨張は、排気段階にある燃焼室が、排気の収縮のために凹むような程度まで、この利用可能な経路を通って燃焼室に向かって場を押す。このようにして、物質場は、ピストンで伝達される。ピストンは、＋／−２９０°より前では上部死点に向かって上昇し、場の運動は、収縮に戻り、伝達ポートは、収縮が、空気入口９によってもはや補償されないように、ピストンの上昇によって閉鎖される。対照的に、振幅は、水素の分解によって増大され、点火補助装置１２のスパークプラグの真空の寄与は、速度パルスを増大させ、分極電荷の破壊効果を生じさせる。
【０１５６】
この収縮は、キャリッジ３１の位置による調節と、細長いパイプ４の端部４’の調節と、空気入口９の調節とに応じる。波長も、イオン化が早すぎないように、上部死点に対して調節されなければならないが、その理由は、イオン化が早すぎることにより、機関がノッキングし、または遅延し、パワーを損失するからである。場の速度または内部周波数は、燃料の流量を変化させずに、音響室５の音響マフによって、あるいはインジェクタおよび／またはネブライザ１９、２０の流量を増大させることによって粒子の量を増大させることによって、抑制することが可能である。
【０１５７】
上部死点への加速に続く膨張は、ピストンを底部死点に向かって押し戻し、定常プロセスによれば、第１部分において調整された後続の物質場が、すべての入口と排気伝達ポートを開放した状態で、膨張するのと同時に排気する瞬間に、真空を作りながら、膨張が収縮に転ずる底部死点に向かって押し戻す。排気の収縮は、細長いパイプ４の入口にあるソリトン室８の部分の一部である空気入口９において、逆止めバルブを必要とせずに、準備した場を取入れ伝達ポートを通して導入することを補助する。
【０１５８】
他の変形形態では、供給伝達の上部ポートは、ピストンによる閉鎖を遅延して、伝達期間を増大させるために、上部では開いている。したがって、物質場が、パワーの損失となることもある、駆動段階（イオン化後）の圧力の戻りによって、準備ゾーンにおいて妨害されないように、制御逆止めバルブが、伝達ダクトに挿入される。
【０１５９】
添付の図面の図５は、本発明による装置の第４実施形態を示す。装置は、ソリトン室８の第１開口８’、あるいは流量加速装置３０またはベンチュリに取り付けられたガスタービン３８によって駆動され、第１ブレード３９は、脈動吸引を生成する。この変形形態の装置は、少なくとも２つの膨張段階を使用することができるが、一方、前述したピストンシステムは、１つの膨張段階しか使用しない。
【０１６０】
図５に示したように、ガスタービン３８は、第１燃焼室４８の前である入口に、吸引タービン４７の第１ブレード３９を有する。この吸引タービンは、特に図１または図２に示した実施形態において記述した装置のソリトン室８の第１開口８’に続く、外部に開いている流量加速装置３０または調節可能ベンチュリに直接接続される。
【０１６１】
ガスタービン３８は、初期吸引を作るためのランチャまたはスタータを装備する。吸引タービン４７の後ろに、分岐部分からなる燃焼室４８があり、分岐部分には、受けタービン４９と共に終わる断面を有する部分が続く。燃焼室４８は、点火補助装置１２を装備する。受けタービン４９の出口は、他のタービン５０によって終端されるより長い集束部分に接続された室４０の分岐部分において開いており、２つの関連付けられた部分は、外部と連絡し、かつ分岐部分４０に配置された調節可能断面の空気入口９を装備した室５１を構成する。タービン５０の出口は、外部に開いている分岐部分において開いている。すべてのタービンは、従来のエネルギー発生装置５３に接続するために、シャフト５２に接続される。
【０１６２】
吸引タービン４７は、スタータによって作動される。同時に、燃料が、適切な装置（図示せず）によって、共振室１内に連続的に注入される。吸引タービン４７によって行われる吸引は、音響室５（図示せず）の音響装置７の影響下で反響する共振室１の燃料場を調整する。調整された場は、細長いパイプ４によって吸引され、第１開口８’の節通路に渡され、そこで加速される。吸引タービン４７によって吸収されて、第１開口は、燃焼室４８の内部に向かって開き、そこで、電子点火補助装置１２が、加速を完了して、火炎を生じさせる。
【０１６３】
後続のイオン化の膨張は、燃焼室４８の直線部分において、シャフト５２に接続された受けタービン４９のブレードを通って配向された出口に加えられた力に等価な圧力を作り、シャフトは、この回転力を受ける。前記受けタービン４９の出口では、室の分岐部分が、このタービンを通る通路の排気を容易にし、同時に、凝縮を防止するように、外部と接触した調節可能な断面の空気入口９によって制御された収縮ゾーンを作り、かつ収縮が続く新しい膨張を構成する定常システムを中断する。
【０１６４】
新しい圧力を生成する膨張は、場を新しいタービン５０に誘導する集束部分によって包含される。このタービンの通路は、受けタービン４９の通路と同じ方向を向き、このタービン５０が接続されているシャフト５２に伝達された回転の方向の圧力を受ける。タービン５０の出口は、外部に開き、かつブレードを通る通路を補助する導管の分岐部分において開いている。
【０１６５】
レーザタイプの火炎のコヒーレンスのために、図７および図９に示したような産業用装置は、大規模な多層タービンを供給することができる。
【０１６６】
添付の図面の図６は、本発明による装置の第５実施形態を示す。本装置は、図１または図２の装置を使用して、燃焼室の正の圧力下で取り入れた空気を膨張させ、分岐排気手段からイオン化場によってこの空気に伝達された熱と運動量とによって、この圧力を増倍させる。分岐排気手段は、この圧力を、周囲空気中にあるジェット推進装置内に向ける。
【０１６７】
図６に示したように、本推進装置は、図１または図２の装置の一方からなり、ソリトン室８は、１つまたは複数の調節可能な集束デフレクタ３５に結合される。この１つまたは複数のデフレクタ３５は、球または円筒の膨張室３６’に接続され、膨張室のソリトン室８への結合は、１つまたは複数のデフレクタ３５によって供給される流量加速装置３０またはベンチュリを形成し、デフレクタには、分岐断面の部分が続く。膨張室３６’の残りは、分岐部材３６”の形態である出口に接続された集束部分と共に終了する。膨張室３６’に結合された１つまたは複数のデフレクタ３５は、キャリッジ３１に接続され、キャリッジの位置は、１つまたは複数のレール３２の形態で生成された全体的な支持体に対して、調節可能とすることができる。加圧下で空気を放出するための分岐部材３６”は、推進手段なので、動作の方向は、音響室５が、分岐部材３６”が後部を構成する装置の前面に配置されることを特徴とする運動の方向によって決定される。図示していない他の変形形態では、ブローイングタービン３７が、作動段階中に、集束デフレクタ３５を供給する。
【０１６８】
上述した装置は、音響室５と、前面に配置された音響装置７との動作の方向に従って開始される。１つまたは複数のデフレクタ３５は、これらのデフレクタ３５の集束方向を低減することによって加圧された量の空気をピックアップする。１つまたは複数の集束部材の底部における気圧が供給されて、ベンチュリを作動する。結果的な脈動吸引は、ソリトン室８に対して作用し、細長いパイプ４を通って共振室１に伝達され、次いで、音響室５を通って音響装置７まで伝達され、この音響装置は、脈動システムの振動をインプリントすることによって反応する。燃料の注入は、共振室１において開始され、音響室５によって伝達された振動効果によって整列された、共振室の巨視的脈動状態は、場またはミストの形態で注入された燃料を調整する。
【０１６９】
粒子またはミストの場は、細長いパイプ４を通して吸引され、第１開口８’の節平面に到達し、そこで、場をイオン化する点火手段１２の点火によって完成された加速を受ける。端部４’／第１開口８’の距離と、第１開口８’／膨張室３６’の距離と、空気入口９のパラメータは、目的に応じて調節される。ベンチュリの開口は、膨張室３６’に接続されたキャリッジ３１’の位置の調節のために増大する。
【０１７０】
加圧されたより多くの量の外部空気が、前記室に入り、場と十分に混合され、空気は、この場のイオン化に寄与する。熱の強烈な放出と、このように取り込まれた空気の量に追加された分極イオン効果によって増倍された膨張段階とは、圧力を形成し、この圧力は、膨張室３６’の後部の集束形態の運動速度の増大に寄与する。したがって、分岐部材３６”は、外部空気と接する移動場の塊の超音速放出に寄与する。
【０１７１】
膨張室３６’の出口と、節平面を構成する分岐部材３６”との間の接続領域において、衝撃波を回避するために、前記分岐部材３６”は、段階的な細長い形状を有することが有利であり、この形状は、節平面の真空空間の後ろに移動する傾向があり、結果として得られる推進力を、弱め合う点においてではなく、ある部分にわたって分配する。
【０１７２】
本発明による装置の他の有利な変形形態について、ここで、非限定的な例によって記述する。図７から１１は、共振室１が、使用した物質Ｍのタイプに適合された本発明による装置を示す。したがって、タイヤおよび廃棄物の処理に特に適している変形形態は、固定タンク（図７および図８）、または移動タンク（図９および図１０）、残留物抽出装置、沈殿タンクなどを使用することを提案する。
【０１７３】
図７および図８に示した変形形態は、特に固体または可溶性の物質Ｍ（木材、プラスチック材料など）を意図したホッパ１４を装備した共振室１を提供する。
【０１７４】
図７および図８に示したように、雑多な固体廃棄物の処理を意図した装置は、この廃棄物の性質に適合された容積を有する固定共振室１からなる。この共振室１は、ソリトン室８を音響装置７に接続する軸の偏心位置合わせと、共振室１の底部における拡大部と、少なくとも１つの攪拌装置１８とを特徴とする。共振室１の底部における拡大部は、保護する部分的な二重エンクロージャを装備し、または固体物質の堆積領域に熱交換装置を装備する。
【０１７５】
本発明による装置は、そのサイズが物質を攪拌するための条件によって限定され、使用が容易であることを特徴とする。図７によれば、装置は、一方の側面上に、細長いパイプ４を装備し、他方の側面に、音響装置７を備えた音響室５の中に開いているオリフィス６を装備した共振室１を備える。
【０１７６】
共振室１は、耐火絶縁カバー１’または単に外部ケースの二重壁の上の低部部分において物質を受けるように設定される。ソリトン室８の調節を容易にするためのスリーブ２９は、共振室１の細長いパイプ４に固定され、前記スリーブ２９と前記細長いパイプ４の外表面との間に、１つまたは複数の空気入口を形成する。
【０１７７】
以下で詳細に説明するように、細長いパイプ４が大きい場合、追加のスリーブ（図示せず）を、細長いパイプ４の内側に配置することが可能である。
【０１７８】
本発明の特徴によれば、１つまたは複数の供給開口１３は、少なくとも１つのホッパ１４が頂部をなし、ホッパは、上方閉鎖ドア１５と下方閉鎖ドア１６、および／または下方格子１７を装備することが可能である。
【０１７９】
好適には１つまたは複数のホッパ１４は、共振室１に供給されることを意図した物質Ｍのためのヒータ２２（図示せず）を備えることが可能である。
【０１８０】
装置は、たとえば、ディスチャージ５７によって閉鎖されたトラップ５５および封止された灰受け５６の形態、および／またはスライディングドア５８の形態で生成された１つまたは複数の出口５４を備えることも可能である。スライディングドアは、前記スライディングドア５８のベント５９を介して、共振室１と連絡している接続された冷却コンテナ６２内に開き、前記冷却コンテナ６２は、放出ドア６０を装備することが可能であり、この放出ドアは、外部から封止され、前記廃棄物を除去するために、入れ子式グリッパ６１を備える。
【０１８１】
先行実施形態において説明したように、装置は、ソリトン室８を備え、ソリトン室は、軸に配置され、かつ共振室１に接続された１つまたは複数のレール３２の上の移動キャリッジ３１に固定された細長いパイプ４の前に配置される。空気入口９の取入れ口のサイズは、１つまたは複数のレール３２の上のキャリッジ３１の摩擦スライディングと共に変化し、細長いパイプ４に固定されたスリーブ２９は、前記細長いパイプ４の上で、いくらか深く沈み、同時に、ソリトン室８の第１開口８’と、細長いパイプ４の端部４’との距離を調節する。したがって、スリーブ２９と細長いパイプ４との間の空間は、外部と連絡する通路として作用し、その開口は、細長いパイプ４の上のスライディングによって、またはらせん回転によって変位することが可能である他の円錐スリーブの形態などで生成された要素３３によって制御することも可能である。
【０１８２】
脈動吸引部材１０とソリトン室８の第１開口８’に緊密に取り付けられた流量加速装置３０（可変流量を有するベンチュリなど）は、共通の支持体、すなわちレール３２の上を移動するキャリッジ３１に固定される。脈動吸引部材１０は、ファンまたはブローイングタービン３７によって供給され、あるいはその運動は、反応によって維持され、作動された後は、煙突に見られるタイプの固定ドラフトによって維持される。脈動吸引部材１０の分岐部材は、スパークプラグまたは電極のタイプの点火補助装置１２を装備する。
【０１８３】
本発明による装置は、少なくとも１つの装置１８が、前記共振室１に導入された固体物質Ｍを攪拌するために提供されることも特徴とする。
【０１８４】
物質のためのこのタイプの攪拌装置１８は、たとえば、アーム、縦方向ブレードなどを備える振動攪拌装置とすることが可能である。アーム、縦方向ブレードなどの部分軸１８’は、共振室１（図８参照）の軸の中央に配置することが可能であり、かつ外部と連絡して、そこで、電動装置（図示せず）によって駆動される。電動装置は、ピニオン、接続ロッド、液圧手段、またはあらゆる他の適切な手段を介して、攪拌装置１８の振動運動を生成する。手動または自動制御手段も、前述した移動部分のすべてに提供することが可能であり、重要点に配置されたセンサに接続されたコンピュータ監視および管理センタも、上述した調節部材の運動を制御するために、提供することが可能である。
【０１８５】
連続装入で供給された物質Ｍは、固定ホッパ１４に配置される。次いで、上方ドア１５を閉鎖し、下方二枚ドア１６を開放することにより、物質Ｍが共振室１に入ることが可能になる。下方ドア１６を閉鎖したとき、ホッパ１４は、共振室１に供給する新しいサイクルのために、再度負荷をかけることが可能である。
【０１８６】
共振室１に、適切な量の物質Ｍを装填したとき、点火が、従来の方式で実施される。具体的には、この点火を容易にするために、非常に可燃性の物質を第１装填物（紙、厚紙など）に追加することが可能である。点火が行われた後、ブローイングタービン３７と、したがって流量加速装置３０とが、点火補助装置１２と共に始動される。点火を迅速に始動するために、音響装置７の調節装置は、完全に開放される。流量加速装置３０は、ソリトン室８の大きく開かれた空気入口９と、細長いパイプ４の端部４’に向いた第１開口８’とに関連して、最低に調節される。
【０１８７】
塊がよく燃えているとき、攪拌装置１８は、低速で連続的に稼動されるか、またはより迅速であるが断続的に稼動される。実際に点火が行われた後、音響装置７の空気通路を段階的に閉鎖して、脈動状態が確立されるのと同時に、低圧を漸進的に上昇させる。流量加速装置３０の領域に、ミストが出現した直後に、火炎が、ベンチュリの分岐部材において確立される。火炎が安定したとき、点火補助装置１２を停止することが可能である。流量は、共振室１の全体的な点火で増大しているので、放射火炎の進行には、最低動作点に向けた音響装置７の調節、第１開口８’と出口３との距離（または第１開口８’と端部４’との距離）の増大、空気入口９の取入れ口の調節、および流量加速装置３０のパワーの増大など、適切な動作が、共振室１における調整速度に対応する流量が確立されるまで続く。
【０１８８】
実際、ベンチュリの流量速度が、共振室１における調整速度と比較して非常に遅い場合、粒子場は飽和し、より重くなり、第１開口８’の通路における不適切な速度パルスは、未燃ＣｘＨｙを提示する。一方、流量加速装置３０によって加えられた低圧力が非常に高い場合、または空気入口９の取入れ口が、非常に制限されている場合、水素の放出による収縮の振幅の増強が、不十分に補償され、圧電気が、ＳＯ２と窒素酸化物ＮＯｘの出現のために観測される。不十分な調節は、細長いパイプ４を汚すことによって、および／またはソリトン室８においてタールを生成することによっても提示される。欠点は、単に、廃棄物において測定した酸素の不足による可能性がある。この場合、酸素の不足は、空気入口９の開き方と、ベンチュリによって加えられた力とに起因する。力は、再循環の形態で波の反射を促進するように十分強いままでなければならない。
【０１８９】
同時に、ホッパ１４に再度負荷をかけ、共振室１の装填物が減少する際に、下方ドア１６を開いて、新しい装填物を共振室１に導入する。前記共振室１に行き渡った変換レートに応じて、下方ドア１６を閉鎖して、新しいサイクルを開始することが可能である。
【０１９０】
家庭廃棄物、ならびにタイヤなどの雑多な廃棄物は、強化材などの金属部品を含む可能性がある。金属部品は、砂のヒープから生じ、かつ、この場合はブレードによって徹底的に塊を攪拌する振幅の中心に対応する、前記ヒープの縁に落ちるグリットの大きな断片としてより凝集した物質の塊から生じる。同じことが、灰にも当てはまる。累積した未燃物質の量が、ある限度を超えた場合、それらを除去しなければならない。この動作は、プログラムすること、またはいつでも行うことが可能であり、放出コンテナが共振室１に接続される。この目的のために、スライディングドア５８を開き、グリッパ６１（グラブ、つめ、または連結された入れ子式クランプ）が、堆積した物質をかき取り、灰をこの目的のために提供される灰受け５６に渡す。次いで、グリッパは、回収した物質をつかんで、揺らしてまたは振動させて、付着物を排除し、冷却コンテナ６２に入れて、回収した物質の最終除去を待機する。灰受け５６の開口またはトラップ５５は、音響装置７から来る新鮮な空気の流れによってこの段階で誘発された沈殿の影響のために、オリフィス６の下に配置することが好ましい可能性がある。
【０１９１】
ある廃棄物は、より迅速に解離の段階に発展し、またはより多くの熱を発生する、廃棄物の性質に応じて、反応を冷却することが必要である可能性がある。このために、共振室１の壁は、たとえば任意の冷却源に接続された水のシートなどのを、縁カバー１’の裏に付けることが可能である。
【０１９２】
図９および図１０は、本発明による装置の他の実施形態を示す。装置は、炭化水素などを含んでいる雑多な固体廃棄物の処理と取扱いの条件に適した大規模な室において、物質を攪拌するために、共振室１を始動させることを特徴とする。
【０１９３】
前記図に示した装置は、共振室１が、その底部に堆積した重量固体物質を含むことを特徴とする。これらの物質は、静止しているので、変換反応の維持と一様性を保証するために、攪拌または移動される。
【０１９４】
例示した装置は、細長いパイプ４と、オリフィス６を備えた音響室５とを装備した共振室１を備え、耐火絶縁カバー１’または単に外部ケースの二重壁の上の下方部分において物質を受けるように構成される。細長いパイプ４とオリフィス６の位置合わせの軸は、共振室１の上部に向かって偏心している。この共振室は、下方外表面上に、共振室１の軸に対する、細長いパイプ４／オリフィス６の軸によって確定された回転軸に応じて配置された、１つまたは複数のランニングトレッド６３とトラックローラ６４とを備える。
【０１９５】
細長いパイプ４は、両端が開いた管からなり、一方は、共振室１の１つの側に緊密に接続され、他方は、第１開口８’とは反対側からソリトン室８（脈動吸引部材１０とその付属物のみが、この図では示唆されている）に入る端部４’を構成する。
【０１９６】
家庭用ごみまたはスラッジなど湿っている可能性があり、早すぎる凝縮の影響を受ける可能性がある物質の処理のために構成された本発明による装置の場合、非常に大規模な装置の場合、すなわち、比が、
共振室１の長さ／１つまたは複数の細長いパイプ４の長さ＞１
である場合、あるいは比が、
共振室１の長さ／１つまたは複数の細長いパイプ４の長さ＞０．２５
である、０．２０ｍ２より大きい断面を有する細長いパイプ４の場合、
および物質Ｍの流れが、反対方向に循環する冷却空気と接触することによって増幅される壁の効果に敏感である状態で、ソリトン室８から共振室１への空気の再循環によって駆動された物質Ｍの還流が制限されている１つまたは複数の特別な細長いパイプ４と共に、軽量のまたは気体状流体を使用するとき、１つまたは複数のパイプ４の断面より小さい断面を有する少なくとも１つの再循環ガイド２６が、たとえば、共振室１において開いている細長いスリーブの形態で、前記１つまたは複数の細長いパイプ４の内側に、少なくとも部分的に提供される。
【０１９７】
図９に示したように、この再循環ガイド２６は、共振室１の低圧を補償するために空気が再循環するための空間の境界を画定する。ソリトン室８の動作の調節を容易にすることを意図したスリーブ２９は、共振室１の細長いパイプ４に固定され、それ自体と、前記細長いパイプ４の外表面との間に、空気入口９の通路を形成する。
【０１９８】
共振室１のレベルでの細長いパイプ４の外部の強化材は、軸受６５の内側に移動軸を構成する。
【０１９９】
さらに、物質Ｍを共振室１に供給するための開口１３は、被制御開口または自動開口を有するスライディングパネル１５”によって閉鎖される。供給手段２は、好適には上方装填ドア１５および２つのスリーブを有する下方放出ドア１６によって閉鎖されたホッパ１４からなり、位置決め装置に接続され、この位置決め装置自体は、フレーム６６に接続され、すべての運動は、手動でまたは自動的に制御されることができる。
【０２００】
図９および図１０に示した装置は、たとえば、可能であれば空にするために、外部において開いているトラップ５５によって閉鎖された灰受け５６の形態で作成された、１つまたは複数の出口５４を備えることも可能である。スライディングドア５８を通る第２出口５４は、ロック室５６’の内部に開き、このロック室は、外部から封止され、下方放出位置に水平に配置されるように、スライディングドア５８と対面する第２スライディングドア５８’を装備する（図１０参照）。
【０２０１】
入れ子式グリッパ６１が、封止されたロック室５６’に提供される。封止された冷却コンテナ６２は、柔軟なホースによって、封止されたロック室５６’に接続され、この封止されたロック室のスライディングドア５８は、共振室１内へ永続的に開いている特別なベント５９を備える。
【０２０２】
音響室５は、音響装置７を装備し、この音響装置には、オリフィス６が、非限定的な実施形態では、軸受６５の内側で動くための軸となるように構成される。細長いパイプ４の前面に、かつその軸に配置されたソリトン室８は、キャリッジ３１に固定され、このキャリッジは、フレーム６６に接続された１つまたは複数のレール３２によって担持される。接続の方式は、前記ソリトン室８が、このソリトン室８の第１開口８’と、細長いパイプ４の端部４’との距離を調節するために、共振室１の細長いパイプ４に接続されたスリーブ２９の上をスライドすることができるというものである。スリーブ２９と細長いパイプ４との間の空間は、空気入口９のための空気通路として作用し、この空間の断面は、たとえば、細長いパイプ４の上をスライドすることによって、またはらせん回転することによって、調節することが可能である他の円錐スリーブなどの要素３３によって監視することが可能である。
【０２０３】
脈動吸引部材１０、可変フロー流量加速装置３０（ベンチュリ、適合タービン、モータなど）は、ソリトン室８の第１開口８’に緊密に取り付けられ、脈動吸引部材１０は、前記ソリトン室８と共に、共通の支持体（キャリッジ３１）に固定される。脈動吸引部材は、必要であれば、ブローイングタービン３７を装備し、任意に、スパークプラグまたは電極のタイプの点火補助装置１２を装備する。
【０２０４】
フレーム６６に接続された１つまたは複数のレール３２は、第１開口８’と出口３との間の経路を調節するための装置を備える（または、細長いパイプ４の端部４’は、ソリトン室８の第１開口８’の位置を誘導する流れの半波の基準点を確定する）。
【０２０５】
装置は、また、軸受６５と移動ソリトン室８の支持体ベースとを備える固定フレーム６６に接続された共振室１のクレードルタイプの支持体のための、ランニングトレッド６３およびトラックローラ６４を備える。共振室１の振動運動を生成する装置、ならびに移動部材を制御するための手段も提供され、コンピュータ化した監視および管理センタが、重要点に配置されたセンサと、調節部材とに接続される。
【０２０６】
連続的な装填で供給された物質は、固定ホッパ１４に配置され、次いで、上方ドア１５を閉鎖する。細長いパイプ４と、軸受６５のオリフィス６との軸の周りの振動運動のために、共振室１は、そのスライディングパネル１５”を、ホッパ１４の下方ドア１６と対抗して配置し、共振室１を不動にする固定ボルトをはずす。スライディングパネル１５”が開いて、ホッパ１４の下方二枚ドア１６を開くことが可能になる。物質Ｍが、共振室１に落ちる。ドアが、反対の順序で閉鎖される。廃棄物の排出が完了した後、一般的なボルトはずしで、共振室１を解放する。
【０２０７】
共振室１に、適切な量の物質Ｍを装填したとき、点火と始動が、上記で説明したように実施される。
【０２０８】
不動の解放が、たとえば、６つの振動に適合された場合（共振室１において処理された物質の量の消滅について推定された時間）、スライディングパネル１５”は、ホッパ１４と反対側に現れ、ボルトは、共振室１を固定して、振動運動の駆動力を停止する。ホッパ１４は、前記共振室１における物質Ｍの消費に応じるプログラミングに応じて、定位置に降下し、スライディングパネル１５”と下方ドア１６は連続して開き、装填物が共振室１にスライドし、ドアが反対方向に閉鎖して、ボルトはずしにより移動アセンブリが自由になり、振動駆動源が再び稼動される。
【０２０９】
家庭廃棄物、ならびにタイヤなどの雑多な廃棄物は、強化材などの金属部品を含む可能性がある。強化材などは、砂のヒープから生じ、かつ、この場合はブレードによって徹底的に塊を攪拌する振幅の中心に対応する、前記ヒープの縁に落ちるグリットの大きな断片としてより凝集した物質の塊から生じる。同じことが、灰にも当てはまる。累積した未燃物質の量が、ある限度を超えた場合、それらを除去しなければならない。この動作は、プログラムすることが可能であり、またはいつでも行うことが可能であり、封止された放出ロック室５６’は、共振室１に接続される。この目的のために、スライディングドア５８を開き、グリッパ６１（グラブ、つめ、または連結された入れ子式クランプ）が、堆積した物質をかき取り、灰をこの目的のために提供される灰受け５６に渡す。次いで、グリッパは、回収した物質をつかんで、揺らしてまたは振動させて、付着物を排除し、冷却コンテナ６２に入れて、回収した物質の最終除去を待機する。
【０２１０】
灰受け５６の開口またはトラップ５５は、音響装置７から来る新鮮な空気の流れによってこの段階で誘発された沈殿の影響のために、オリフィス６の下に配置することが好ましい可能性がある。共振室１が、装填位置にあるとき、封止されたロック室５６’は、垂直方向に、冷却コンテナ６２と整列する。装填の停止を利用して、たとえば液圧手段によって、冷却コンテナ６２を上昇させ、前記封止されたロック室５６’に固着させる。第２スライディングドア５８’と放出ドア６０は、互いに反対方向に開き、廃棄物は、封止されたロックコンテナ５６’から冷却コンテナ６２内に落ちる。ドアは再び閉鎖され、２つの組み合わされた動作が、反応を中断せずに実施される。アセンブリの運動は、可能であれば、再開され、したがって反復して続行される。灰受け５６が独立しているので、装填の停止中に、灰受けを空にするために提供された補助コンテナの中へ、灰受けを空にすることが可能である。同じことが、音響室５の保守に適用される。
【０２１１】
廃棄物の性質に応じて、あるものは、より迅速に解離段階に進行し、またはより多くの熱を発生する。したがって、反応を冷却することが必要である。このために、共振室１の壁は、任意の冷却源に接続された水のシートなどの絶縁カバー１’に沿って配置することが可能である。
【０２１２】
特に有利な実施形態によれば、１つまたは複数のホッパ１４は、１つの供給開口１３から他の供給開口１３まで、共振室１の供給開口１３の上で変位することが可能である。
【０２１３】
図１、図２、図７、および図８に示した装置は、様々な物質Ｍと共に使用することが可能であり、物質には、大部分が燃焼する前に熱の影響で溶融する、プラスチック材料という一般的な用語によって示した物質が含まれる。この特性は、共振室１の装填物が、完全に溶融し、したがって、機械の能力を超える物質の飽和場を生成する限り、上述した装置では、プラスチック材料の使用にとって障害であることを示す。
【０２１４】
これらの材料が、連続的に処理される場合、まず、適切な供給を有することが必要であり、これは、技術的な取扱い上の問題を提示するが、その理由は、この廃棄物の貯蔵が、しばしば、分解または調整が困難な、大きなかわら状の断片からなるからである。次に、共振室１において、液体状態と固体状態を共存させることが必要であり、これは、物質の調整された場の質が変動するという問題を提示する。この問題は、ホッパ１４の底部を構成する格子１７の形態で形成された共振室１の上方壁で解決され、また大きなホッパ１４を提供することによって解決される（図１１参照）。この場合、より小さい共振室１で十分である可能性がある。共振室１の熱は、前記格子１７を通してホッパ１４の物質Ｍの塊に伝達されたとき、この塊を溶融または燃焼させ、したがって、流量は、外部熱源を使用しても、共振室１のサイズに応じ、必要時に調節することが容易になる。
【０２１５】
格子１７も、物質Ｍとして木材を使用するとき、有用であり、適切な廃棄物出口を装備した本発明による装置は、木材の変換から出る気体のためのバーナーをも構成する。
【０２１６】
図１１は、家庭用装置または産業用装置において固体物質Ｍ（木材、プラスチック材料など）を使用するために構成された、本発明による装置を示す。共振室１の１つまたは複数の壁が、１つまたは複数の格子１７からなり、前記共振室１が、図１および図２に示したものなど、オーバーフローまたは廃棄物を抽出するための追加の装置（またはその変形）を装備することを特徴とする。
【０２１７】
例示した装置は、上方ドア１５を装備し、かつ下方ドア１６の代わりに、可動かつ調節可能とすることができるグリップ１７を備える、大きなホッパ１４からなる共振室１に供給するための手段２を備える。共振室１は、灰の収集手段２４と放出手段２５、２５’をも備える。これらの手段は、灰受け、ならびに管を通してオーバーフローを放出するための手段とすることが可能である。管のオリフィスは、適切なレベルに配置され、管は、ベント２３を装備した中央リザーバに接続される。
【０２１８】
この変形形態による装置は、以下の方式で動作する。物質Ｍを、共振室１の格子１７の下で点火されるホッパ１４に配置する。これらの物質Ｍが、共振室１へ流れ込み、そこで、従来の方式で点火されるように、あらゆるプラスチック材料を、ホッパ１４の底部に加えられた加熱装置によって、あらかじめ溶融させる。従来の燃焼が開始された後、脈動吸引部材１０を作動する。
【０２１９】
結果的な脈動吸引は、ソリトン室８に対して作用し、共振室１に伝達され、細長いパイプ４と音響室５を通して、脈動システムに振動をインプリントすることによって反応する音響装置７まで伝達される。音響室５によって伝達された振動の影響によって整列された巨視的脈動状態は、場またはミストの形態である第１解離から出る種または凝集体を調整する。粒子またはミストの場は、細長いパイプ４を通して吸引され、第１開口８’の領域の節平面に到着し、場をイオン化する点火補助１２によって完成された加速を受ける。端部４’と第１開口８’との距離、空気入口９、および流量のパラメータは、脈動吸引部材１０によって達成される目的に応じて調節される。木材が使用された場合、ホッパ１４の能力により、優れた自律性が可能になり、共振室１の領域から始まるベント２３は、前記ホッパ１４の上方ドア１５が閉鎖されるときの圧力を調節する。
【０２２０】
収集手段２４は、適切に配置された灰受けとすることが可能であり、灰受けでは、灰は、必要時に除去される。加熱は、第１開口８’と端部４との距離、空気入口９、第１開口８’の領域における流量を制御する手段によって、手動でまたは自動的に制御される。物質Ｍが、プラスチック材料である場合、大きなホッパ１４は、気体またはスモークが、物質バッファを通って戻ることを防止する。灰受けは、沈殿した無機物の充填物を受けるように、オリフィス６の下に配置されることが好ましく、放出手段２５、２５’は、動作の一様性を保証する。
【０２２１】
最後に、本発明による装置の最後の有利な変形形態について、やはり非限定的な例によって、再び説明する。図１２は、固体物質から熱を発生させるための静的手段によって作動される、本発明による装置を示す。
【０２２２】
図１２に示した装置は、脈動吸引部材１０を静的に動作することによって作動するように構成され、かつ垂直フローダクトの作用の影響を受けるように、垂直に構成される。
【０２２３】
装置は、垂直に配置された共振室１からなり、（仮想）細長いパイプ４が、前記共振室１を画定するゾーンと、前記共振室１の下に配置された音響室５との境界に配置され、音響室は、これらの細長いパイプ４と格子１７’を介したオリフィス６とを通して前記共振室と連絡する。第１開口８’を介して垂直放出ダクトに接続されたソリトン室８は、細長いパイプ４によって接続される共振室１の上に配置され、また脈動吸引部材１０、すなわち固定スモークダクト３４の影響を補償するように、その断面に少なくとも等しい断面を有する、１つまたは複数の空気入口９を介して外部と連絡する。共振室１の垂直位置のために、上方ドア１５によって入口が閉鎖され、かつスライディング下方ドア１６によって出口が閉鎖される供給ホッパ１４は、１つまたは複数の供給開口１３が底部に向かって配置された共振室に対して横方向に配置される。保護またはカバー１’のライニングは、重量物質を受け取り、それを、音響装置（マフ）７を装備した音響室５の上に配置された格子１７’の上に含み、格子１７’を通るオリフィス６は、ピンチング手段として役立つ。このカバー１’の上方縁の上に、空気入口９の流量を調節するための１つまたは複数の要素３３がある。装置は、空気入口９と音響装置７に、外部空気が自由に供給されるように、フレーム６６によって担持される。変形形態では、共振室１の壁は、たとえばレジエータの上に熱を分散させるために、水のシートを装備することが可能である。
【０２２４】
図１２に示した装置は、以下のように動作する。物質Ｍを、共振室１の底部のライニングのエンクロージャに配置し、供給開口１３の１つから、外部から直接、またはホッパ１４から開始する。放出ダクトを開き、イオン化空間１１によって、ソリトン室８の第１開口８’に接続し、ソリトン室自体は、空気入口９によって外部に接続され、空気入口の開口は、要素３３の調節によって低減される。一方、分岐３４’は、要素３３’によって閉鎖される。音響室５の音響マフは、最大に解放される。必要であれば紙および焚付けで、物質Ｍの装填物を点火する。脈動吸引部材１０（固定スモークダクト３４によって形成された）の最大引込みパワーによって作られた直接循環は、空気入口９の調節による低減のために、補償されず、物質Ｍの装填物を非常に迅速に点火させる。
【０２２５】
大量に装填された火炎は、細長いパイプ４の出口にある共振室１の境界において発展し、ここでは垂直位置に再生成された図１の装置の場合のように、淡い青みを帯びた火炎が、静止スモークダクト３４によって形成された脈動吸引部材１０の影響を受けたイオン化空間１１にある第１開口８’の領域の節平面の後ろに確立される傾向がある。
【０２２６】
マフは、通路の最低位置に調節され、これにより、音響室５が反響し、音響室の低圧により、解離した種が、オリフィス６を通って格子１７’の領域において再循環する。
【０２２７】
したがって、空気入口９の要素３３の調節は、完全に解放される。ソリトン室８に供給された気流は、静止スモークダクト３４の吸引を低減する第１開口８’と、細長いパイプ４との間に分散される。細長いパイプでは、再循環が、音響装置７の過剰低減によって増大された前記静止スモークダクト３４の初期作用によって作られた顕著な低圧を補償する。
【０２２８】
細長いパイプ４が、共振室１から、格子１７’の上の共振室１の底部に配置された物質Ｍの不規則断片の間のギャップに向かって変位したかのように、あらゆることが生じる。火炎は、ネックを形成するギャップと整列した装填物の境界に確立され、ソリトン室８から空気入口９を通る再循環の影響は、火炎の成長を、装填物と、共振室１の流量加速装置またはベンチュリ３０の通路のリップとの間の空間の半分までに制限する。
【０２２９】
音響室５の配向した振動の影響のために、カバー１’と格子１７’の上に配置された物質Ｍの内部の塊は、赤くなり、残り火を形成し、所望の目的は達成され、熱は、壁が外部に向かって放射する共振室１の内側に発生される。しかし、火炎が鮮明で青く、かつ酸化が、従来のシステムと比較してすでに非常に低減されている場合でも、火炎は従来の見かけを維持する。これは、脈動吸引部材１０による吸引が過剰であるためである。脈動吸引部材は、空気入口９を通してソリトン室８に送達された流れの一部によって、第１開口８’において部分的にのみ補償され、他の部分は、オリフィス６を通って反対方向に循環し、共振室１の圧力を部分的に再び均衡にする傾向がある。
【０２３０】
これは、収縮効果をもたらし、収縮効果は、圧電効果を作るように、変換されている物質の塊の領域において増大する。圧電効果は、もはや完全ではないイオン化の質に悪影響を与える部分的な非コヒーレンスの要因である。
【０２３１】
図１の装置と同等なイオン化の質で、反応を完了し、イオン化空間１１における最大放射を獲得するために、共振室１に行き渡る低圧は、可能な限り大気圧まで低減されるべきである。
【０２３２】
したがって、音響室５の音響振動の影響を受けたファンデルワールス力による場の局所的な非重力作用は、物質の塊を、小さな火炎のみを備えた高周波数の放射を有する残り火に変換するのに十分である。この結果は、空気入口９から始まるダクトの分岐３４’の要素３３’の調節装置を開くことによって達成される。イオン化は完了し、放射は最大になり、物質の変換は減速されて、廃棄物種は、もはや酸素を含んでいない。
【０２３３】
ホッパ１４の使用は、固体物質Ｍが、格子１７’に達する前に、事前に加熱される限り、処理の質を連続的に補助することに留意されたい。
【０２３４】
図２による装置であって、適切な灰受け（灰受け５６など）と、接続手段とベントに接続された放出手段（収集手段２４とベント２３とに接続された放出手段２５、２５’など）とを追加された装置である、図７から１１の装置は、新規な物質を生成することができる。
【０２３５】
灰受け５６の容積が大きくなり、冷却されると、より多くの懸濁物質のクラウドまたは場が、共振室１の上に大きく開かれた容積を循環する。流量加速装置３０の領域における速度を強制し、かつ音響効果を排除しないが音響装置７（マフなど）の領域における通路を開くことによって、凝縮および沈殿ファクタが、オリフィス６の通路の周辺で獲得されて、灰受け５６の冷却容積において増幅される。
【０２３６】
他の影響のために、すべてのソリトン室８は、たとえばリザーバに接続されたパイプによって、前記ソリトン室８の底部におけるフローを通して回収可能な凝縮物を生成することができる。
【０２３７】
しかし、ベンチュリにおける圧力の増大と、細長いパイプ４における収縮とを必要とするソリトン室８の領域では、液晶が生成され、一方、灰受け５６は、所望したようにいくらか粘性の油を生成する。ソリトン室８によって生成された凝縮物は、一般に、セグメントおよびケースの磨耗をもたらす微視的なダイアモンドの形態で純粋な炭素の結晶が存在するために、通常の内燃機関には適切でないフラーレンタイプの固体凝集物と結晶と共に装填される。
【０２３８】
本発明は、また、本発明による装置を使用する物質のイオン化または変換のプロセスに関し、
脈動吸引部材１０と可能であれば点火補助装置１２とを始動することと、
イオン化または変換される物質Ｍを、共振室１に導入することと、
必要であれば、以前に導入した物質Ｍの従来の予備燃焼を開始することと、
音響装置７と脈動吸引部材１０とを使用して、物質Ｍをコヒーレントな半凝縮された定常振動状態に調整することと、
共振室１を数回往復した後、物質Ｍの放出流の波が、１つまたは複数の細長いパイプ４に発生する気流からなる反射波の形態で入射波の反射を生成し、共振室１に存在する負の圧力を補償し、および鏡面間の反射を維持する出口において、１つまたは複数の細長いパイプ４を通して、調整された物質Ｍを吸引することと、
１つまたは複数の細長いパイプ４の周辺に配置された空気入口９を介して、１つまたは複数の細長いパイプ４から出る調整された物質Ｍに外部空気を追加することと、
任意に点火補助装置１２を使用して、調整された物質Ｍをイオン化する段階とを備えることを特徴とする。
【０２３９】
本発明によるプロセスは、また、１つまたは複数の以下のパラメータを調節することによって、調整された物質Ｍをイオン化した状態の後、共振室１における前記物質Ｍの調整レートに、物質Ｍのイオン化反応レートを適合させるために、反応を最適化する段階も備えることを特徴とする。パラメータは、音響装置７の開放、脈動吸引部材１０のパワー、空気入口９を通って入る空気の流量、１つまたは複数の細長いパイプ４の節平面、または装置の異なる節平面に対する空気入口９の位置、共振室１の１つまたは複数の出口３から第２開口８”を分離する距離、および１つまたは複数の細長いパイプ４の長さの調節である。
【０２４０】
他の特徴によれば、本発明による装置によって排除された空気中のＳＯ２、ＣｘＨｙ、ＮＯｘ、またはＯ２の濃度は、大気の濃度に少なくとも等しい除去された空気におけるＯ２の濃度と、ゼロであるかまたは実質的にゼロであるＳＯ２、ＣｘＨｙ、および／またはＮＯｘの濃度が獲得されるまで、物質Ｍのイオン化反応を最適化するために、以下のパラメータの１つまたは複数の調節を決定するために測定される。すなわち、脈動吸引部材１０のパワー、１つまたは複数の細長いパイプ４の節平面、または装置の異なる節平面に対する空気入口９の位置、空気入口９を通って入る空気の流量、共振室１の１つまたは複数の出口３から第１開口８’を分離する距離、１つまたは複数のパイプ４の長さの調節、音響装置７の調節である。他の特徴によれば、点火補助１２は、物質Ｍのイオン化反応が、自律的に続行されるとき、停止される。
【０２４１】
好適には、解離した調整された物質Ｍによって放出されたエネルギーは、凝縮物収集手段２４において作られた物質のイオン化の前に、凝縮による１つまたは複数の新規な物質の形態で、イオン化の前に貯蔵される。
【０２４２】
本発明によるプロセスは、熱エネルギー、化学エネルギー、および／または機械エネルギーを生成するために使用することが可能である。上記で説明したように、このプロセスは、新規な物質を生成するためにも使用することが可能である。本発明は、また、本発明による装置を使用する、具体的には廃棄物燃焼炉である燃焼炉、具体的には車両である環境を損なわない熱機関、タービン、ラムジェット、ならびに家庭用炉床、およびボイラに関する。
【０２４３】
本発明は、明らかに、記述し、添付の図面に示した実施形態に限定されない。本発明の保護の範囲から逸脱せずに、特に様々な要素の構成に関して、または技術的な等価物を代用することによって、修正することが可能である。
【図面の簡単な説明】
【図１】
本発明の一般的な装置の簡略化した横断面図である。
【図２】
本発明による装置の他の実施形態の図１の図と同様な図である。
【図３】
本発明による装置の他の実施形態の図１の図と同様な図である。
【図４】
本発明による装置の他の実施形態の図１の図と同様な図である。
【図５】
本発明による装置の他の実施形態の図１の図と同様な図である。
【図６】
本発明による装置の他の実施形態の図１の図と同様な図である。
【図７】
本発明による装置の他の実施形態の図１の図と同様な図である。
【図８】
図７による装置の簡略化した前断面図である。
【図９】
本発明による装置の他の実施形態の図１の図と同様な図である。
【図１０】
図９による装置の簡略化した前断面図である。
【図１１】
本発明による装置の他の実施形態の図１の図と同様な図である。
【図１２】
本発明による装置の他の実施形態の図１の図と同様な図である。
【図１】
2004509312.tif 000006
【図２】
2004509312.tif 000007
【図３】
2004509312.tif 000008
【図４】
2004509312.tif 000009
【図５】
2004509312.tif 000010
【図６】
2004509312.tif 000011
【図７】
2004509312.tif 000012
【図８】
2004509312.tif 000013
【図９】
2004509312.tif 000014
【図１０】
2004509312.tif 000015
【図１１】
2004509312.tif 000016
【図１２】
2004509312.tif 000017
【国際公開パンフレット】
2004509312.tif 000018
2004509312.tif 000019
2004509312.tif 000020
2004509312.tif 000021
2004509312.tif 000022
2004509312.tif 000023
2004509312.tif 000024
2004509312.tif 000025
2004509312.tif 000026
2004509312.tif 000027
2004509312.tif 000028
2004509312.tif 000029
2004509312.tif 000030
2004509312.tif 000031
2004509312.tif 000032
2004509312.tif 000033
2004509312.tif 000034
2004509312.tif 000035
2004509312.tif 000036
2004509312.tif 000037
2004509312.tif 000038
2004509312.tif 000039
2004509312.tif 000040
2004509312.tif 000041
2004509312.tif 000042
2004509312.tif 000043
2004509312.tif 000044
2004509312.tif 000045
2004509312.tif 000046
2004509312.tif 000047
2004509312.tif 000048
2004509312.tif 000049
2004509312.tif 000050
2004509312.tif 000051
2004509312.tif 000052
2004509312.tif 000053
2004509312.tif 000054
2004509312.tif 000055
2004509312.tif 000056
2004509312.tif 000057
2004509312.tif 000058
2004509312.tif 000059
2004509312.tif 000060
2004509312.tif 000061
2004509312.tif 000062
2004509312.tif 000063
2004509312.tif 000064
2004509312.tif 000065
2004509312.tif 000066
2004509312.tif 000067
2004509312.tif 000068
2004509312.tif 000069
2004509312.tif 000070
2004509312.tif 000071
2004509312.tif 000072
2004509312.tif 000073
2004509312.tif 000074
2004509312.tif 000075
2004509312.tif 000076
2004509312.tif 000077
2004509312.tif 000078
2004509312.tif 000079
2004509312.tif 000080
2004509312.tif 000081
2004509312.tif 000082
2004509312.tif 000083
2004509312.tif 000084
2004509312.tif 000085
2004509312.tif 000086
2004509312.tif 000087
2004509312.tif 000088
2004509312.tif 000089
2004509312.tif 000090
2004509312.tif 000091
2004509312.tif 000092
【国際調査報告】
2004509312.tif 000093
2004509312.tif 000094
2004509312.tif 000095
2004509312.tif 000096
2004509312.tif 000097
2004509312.tif 000098